【事件の表示】
　特許第６１９７３１３号発明「インクジェットプリンタ及びずれ検出方法」の特許異議申立事件について、次のとおり決定する。
【結　論】
　特許第６１９７３１３号の特許請求の範囲を訂正請求書に添付された特許請求の範囲のとおり、訂正後の請求項９、１１、１２について訂正することを認める。
　特許第６１９７３１３号の請求項８に係る特許を取り消す。
　同請求項１乃至７、９、１０、１１、１２に係る特許を維持する。
【理　由】
第１．手続の経緯　
　特許第６１９７３１３号の請求項１乃至１４に係る特許についての出願は、平成２５年３月１２日に出願され、平成２９年９月１日付けでその特許権の設定登録がされ、その後、平成３０年３月２０日付けで特許異議申立人　鈴木愛子（以下「特許異議申立人」という。）より請求項１乃至１２に対して特許異議の申立てがされ、同年５月２９日付けで取消理由が通知され、同年７月２６日に意見書の提出及び訂正請求がされ、同年９月２１日に特許異議申立人から意見書が提出され、平成３１年１月８日付で取消理由（決定の予告）が通知され、同年３月７日に意見書の提出及び訂正請求がされ、同月１８日付けで訂正請求書について手続補正指令がなされ、同月２７日に訂正請求書の手続補正がなされ、令和１年６月１４日付けで訂正拒絶理由が通知されたが、特許権者からは何ら応答はなかった。なお、同年７月２５日に特許異議申立人から意見書が提出された。
第２．訂正の適否
１．訂正の内容　
　平成３１年３月７日付け訂正請求書（同月２７日付け手続補正書により補正されたもの）による訂正（以下「本件訂正」という。）の内容は以下のとおりである。（下線部は訂正箇所を示す。）
　なお、平成３０年７月２６日付けの訂正請求は、特許法第１２０条の５第７項に規定するとおり、取り下げられたものとみなされる。
（１）訂正事項１
　請求項８に「前記第１ヘッドユニット及び前記第２ヘッドユニットを制御する制御手段と、を備え、少なくとも２つの第１ノズルは、第２ノズルと同じ画素に対応しており、」とあるのを、「前記第１ヘッドユニット及び前記第２ヘッドユニットを制御する制御手段と、を備え、
前記複数の第１ノズルから吐出されるインクの色と、前記複数の第２ノズルから吐出されるインクの色とが同じ色であり、
画像要素Ａの第１方向の最も一方側のドットを形成する第１ノズルと、画像要素Ｃの第１方向の最も他方側のドットを形成する第２ノズルと同じ画素に対応する第１ノズルとが前記第１方向に互いに隣接し、画像要素Ａの第１方向の最も他方側のドットを形成する第１ノズルと、画像要素Ｄの第１方向の最も一方側のドットを形成する第２ノズルと同じ画素に対応する第１ノズルとが前記第１方向に互いに隣接し、画像要素Ｂの第１方向の最も他方側のドットを形成する第１ノズルと、画像要素Ｃの第１方向の最も一方側のドットを形成する第２ノズルと同じ画素に対応する第１ノズルとが前記第１方向に互いに隣接し
前記画像要素Ｂに対応する前記第２ノズルを有さず、
　
（２）訂正事項２
　請求項９に「前記第１ヘッドユニット及び前記第２ヘッドユニットを制御する制御手段と、を備え、少なくとも２つの第１ノズルは、第２ノズルと同じ画素に対応しており」とあるのを、「前記第１ヘッドユニット及び前記第２ヘッドユニットを制御する制御手段と、を備え、
前記複数の第１ノズルから吐出されるインクの色と、前記複数の第２ノズルから吐出されるインクの色とが同じ色であり、
び、前記画像要素Ｂの前記第１方向の長さが前記画像要素Ａの前記第１方向の長さよりも長い
画像要素Ａの第１方向の最も一方側のドットを形成する第１ノズルと、画像要素Ｃの第１方向の最も他方側のドットを形成する第２ノズルと同じ画素に対応する第１ノズルとが前記第１方向に互いに隣接し、画像要素Ａの第１方向の最も他方側のドットを形成する第１ノズルと、画像要素Ｄの第１方向の最も一方側のドットを形成する第２ノズルと同じ画素に対応する第１ノズルとが前記第１方向に互いに隣接し、画像要素Ｂの第１方向の最も他方側のドットを形成する第１ノズルと、画像要素Ｃの第１方向の最も一方側のドットを形成する第２ノズルと同じ画素に対応する第１ノズルとが前記第１方向に互いに隣接し、
　
（３）訂正事項３
　請求項１１に「前記第１ヘッドユニット及び前記第２ヘッドユニットを制御する制御手段と、を備え、少なくとも４つの前記第１ノズルは、前記第２ノズルと同じ画素に対応しており」とあるのを、「前記第１ヘッドユニット及び前記第２ヘッドユニットを制御する制御手段と、を備え、
前記第１ノズルから吐出されるインクの色と、前記第２ノズルから吐出されるインクの色とが同じ色であり、
前記画像要素Ｂに対応する前記第２ノズルを有さず、
　
（４）訂正事項４
　請求項１２に「前記第１ヘッドユニット及び前記第２ヘッドユニットを制御する制御手段と、を備え、少なくとも４つの前記第１ノズルは、前記第２ノズルと同じ画素に対応しており」とあるのを、「前記第１ヘッドユニット及び前記第２ヘッドユニットを制御する制御手段と、を備え、
前記第１ノズルから吐出されるインクの色と、前記第２ノズルから吐出されるインクの色とが同じ色であり、
び、前記画像要素Ｂの前記第１方向の長さが前記画像要素Ａの前記第１方向の長さよりも長い
　
２．訂正の目的の適否、特許請求の範囲の拡張・変更の存否及び新規事項の有無について　
（１）訂正事項１について
ア．訂正の目的について
　訂正事項１−１は、訂正前の請求項８の「インクジェットプリンタ」における「第１ノズルから吐出されるインク」と「第２ノズルから吐出されるインク」について、「前記複数の第１ノズルから吐出されるインクの色と、前記複数の第２ノズルから吐出されるインクの色とが同じ色であり」と具体的に限定するものである。
　また、訂正事項１−２は、訂正前の請求項８の「インクジェットプリンタ」における「画像要素Ａ」及び「画像要素Ｂ」を形成する「第１ノズル」、並びに「画像要素Ｃ」及び「画像要素Ｄ」を形成する「第２ノズル」について、「画像要素Ａの第１方向の最も一方側のドットを形成する第１ノズルと、画像要素Ｃの第１方向の最も他方側のドットを形成する第２ノズルと同じ画素に対応する第１ノズルとが前記第１方向に互いに隣接し、画像要素Ａの第１方向の最も他方側のドットを形成する第１ノズルと、画像要素Ｄの第１方向の最も一方側のドットを形成する第２ノズルと同じ画素に対応する第１ノズルとが前記第１方向に互いに隣接し、画像要素Ｂの第１方向の最も他方側のドットを形成する第１ノズルと、画像要素Ｃの第１方向の最も一方側のドットを形成する第２ノズルと同じ画素に対応する第１ノズルとが前記第１方向に互いに隣接し」と具体的に限定するものである。
　また、訂正事項１−３は、訂正前の請求項８の「インクジェットプリンタ」における「第２ヘッドユニット」について、「前記画像要素Ｂに対応する前記第２ノズルを有さず、」と具体的に限定するものである。
　そうすると、訂正事項１−１乃至１−３のいずれも、特許法第１２０条の５第２項ただし書第１号に規定する特許請求の範囲の減縮を目的とするものである。
　
イ．実質上特許請求の範囲を拡張し、又は変更するものではないこと
　訂正事項１−１乃至１−３のいずれも、実質上特許請求の範囲を拡張し、又は変更するものではないから、特許法第１２０条の５第９項で準用する第１２６条第６項に適合するものである。
　
ウ．願書に添付した明細書、特許請求の範囲又は図面（以下、「本件特許明細書等」という。）に記載した事項の範囲内の訂正であること
　訂正事項１−１に関する記載として、本件特許明細書等の【００８５】に「そして、変形例１１では、Ｓ１０１の検査用画像６０の印刷時に、ヘッドユニット１１ａ、１１ｂの同じ色のインクを吐出するノズル１０ａ、１０ｂからインクを吐出させる。例えば、図１３（ａ）に太線で示すように、ヘッドユニット１１ａ、１１ｂの搬送方向の最も上流側に配置されたノズル列１４１ａ、１４１ｂを形成するノズル１０ａ、１０ｂからブラックのインクを吐出させる。この場合には、各パターンが全て同じ色で印刷されるため、第１印刷画像２６１や第２印刷画像２６２の視認性が高くなる。」と記載されている。
　ここで、特許権者が訂正事項１の根拠として主張する本件特許明細書等の【００５４】及び【００５５】並びに図６（ａ）には、訂正事項１−３に関する記載として、画像要素Ｂ（パターン７６ａ）に対応する第２ノズルがないことが示されている。
　しかし、本件特許明細書等の図６（ａ）には、「画像要素Ｄを構成するパターン７７ｂのドットを形成するノズル１０ｂと同じ画素に対応するノズル１０ａ」が示されていないから、訂正事項１−２の「画像要素Ａの第１方向の最も他方側のドットを形成する第１ノズルと、画像要素Ｄの第１方向の最も一方側のドットを形成する第２ノズルと同じ画素に対応する第１ノズルとが前記第１方向に互いに隣接し」との事項に対応する事項は示されていないし、自明の事項といえる理由もない。
　一方、本件特許明細書等の図６（ｂ）には、訂正事項１−２に関する記載として、「画像要素Ａを構成するパターン７６ｂのドットを形成するノズル１０ａと、画像要素Ｃを構成するパターン７７ａのドットを形成するノズル１０ｂと同じ画素に対応するノズル１０ａとが第１方向に互いに隣接し、画像要素Ａを構成するパターン７６ｂのドットを形成するノズル１０ａと、画像要素Ｄを構成するパターン７７ｂのドットを形成するノズル１０ｂと同じ画素に対応するノズル１０ａとが前記第１方向に互いに隣接し、画像要素Ｂを構成するパターン７６ａのドットを形成するノズル１０ａと、画像要素Ｃを構成するパターン７７ａのドットを形成するノズル１０ｂと同じ画素に対応するノズル１０ａとが前記第１方向に互いに隣接し」ていることが示されている。
　しかし、本件特許明細書等の図６（ｂ）には、第２ヘッドユニットが「画像要素Ｂを構成するパターン７７ａに対応するノズル１０ｂ」を有していることが示されているから、訂正事項１−３に対応する事項は示されていないし、自明の事項といえる理由もない。
　また、本件特許明細書等の他の実施例をみても、訂正事項１−２及び１−３が共に示されている記載は見当たらない。
　そうすると、訂正事項１−２もしくは１−３は、本件特許明細書等には何ら記載されているものではないし、また、自明の事項ともいえない。
　よって、訂正事項１は、本件特許明細書等のすべての記載を総合することにより導かれる技術事項との関係において新たな技術事項を導入するものであって、本件特許明細書等に記載した事項の範囲内でなされたものではない。
　
エ．小括
　したがって、訂正事項１は、本件特許明細書等に記載した事項の範囲内においてなされたものであるとはいえないから、特許法第１２０条の５第９項で準用する同法第１２６条第５項の規定に適合するものではない。
　
（２）訂正事項２について
ア．訂正の目的について
　訂正事項２−１は、訂正前の請求項９の「インクジェットプリンタ」における「第１ノズルから吐出されるインク」と「第２ノズルから吐出されるインク」について、「前記複数の第１ノズルから吐出されるインクの色と、前記複数の第２ノズルから吐出されるインクの色とが同じ色であり」と具体的に限定するものである。
　また、訂正事項２−２における「前記画像要素Ｂの前記第１方向の長さが前記画像要素Ａの前記第１方向の長さよりも長い」は、訂正前の請求項９の「インクジェットプリンタ」における「画像要素Ａ」及び「画像要素Ｂ」について、「前記画像要素Ｂの前記第１方向の長さが前記画像要素Ａの前記第１方向の長さよりも長い」と具体的に限定するものである。
　また、訂正事項２−２における「画像要素Ａの第１方向の最も一方側のドットを形成する第１ノズルと、画像要素Ｃの第１方向の最も他方側のドットを形成する第２ノズルと同じ画素に対応する第１ノズルとが前記第１方向に互いに隣接し、画像要素Ａの第１方向の最も他方側のドットを形成する第１ノズルと、画像要素Ｄの第１方向の最も一方側のドットを形成する第２ノズルと同じ画素に対応する第１ノズルとが前記第１方向に互いに隣接し、画像要素Ｂの第１方向の最も他方側のドットを形成する第１ノズルと、画像要素Ｃの第１方向の最も一方側のドットを形成する第２ノズルと同じ画素に対応する第１ノズルとが前記第１方向に互いに隣接し、」は、訂正前の請求項９の「インクジェットプリンタ」における「画像要素Ａ」及び「画像要素Ｂ」を形成する「第１ノズル」、並びに「画像要素Ｃ」及び「画像要素Ｄ」を形成する「第２ノズル」について、「画像要素Ａの第１方向の最も一方側のドットを形成する第１ノズルと、画像要素Ｃの第１方向の最も他方側のドットを形成する第２ノズルと同じ画素に対応する第１ノズルとが前記第１方向に互いに隣接し、画像要素Ａの第１方向の最も他方側のドットを形成する第１ノズルと、画像要素Ｄの第１方向の最も一方側のドットを形成する第２ノズルと同じ画素に対応する第１ノズルとが前記第１方向に互いに隣接し、画像要素Ｂの第１方向の最も他方側のドットを形成する第１ノズルと、画像要素Ｃの第１方向の最も一方側のドットを形成する第２ノズルと同じ画素に対応する第１ノズルとが前記第１方向に互いに隣接し」と具体的に限定するものである。
　そうすると、訂正事項２−１及び２−２のいずれも、特許法第１２０条の５第２項ただし書第１号に規定する特許請求の範囲の減縮を目的とするものである。
　
イ．実質上特許請求の範囲を拡張し、又は変更するものではないこと
　訂正事項２−１及び２−２のいずれも、実質上特許請求の範囲を拡張し、又は変更するものではないから、特許法第１２０条の５第９項で準用する第１２６条第６項に適合するものである。
　
ウ．本件特許明細書等に記載した事項の範囲内の訂正であること
　当該訂正事項２−１に関する記載として、本件特許明細書等の【００８５】に「そして、変形例１１では、Ｓ１０１の検査用画像６０の印刷時に、ヘッドユニット１１ａ、１１ｂの同じ色のインクを吐出するノズル１０ａ、１０ｂからインクを吐出させる。例えば、図１３（ａ）に太線で示すように、ヘッドユニット１１ａ、１１ｂの搬送方向の最も上流側に配置されたノズル列１４１ａ、１４１ｂを形成するノズル１０ａ、１０ｂからブラックのインクを吐出させる。この場合には、各パターンが全て同じ色で印刷されるため、第１印刷画像２６１や第２印刷画像２６２の視認性が高くなる。」と記載されている。
　また、訂正事項２−２における「前記画像要素Ｂの前記第１方向の長さが前記画像要素Ａの前記第１方向の長さよりも長い」に関する記載として、本件特許明細書等の図８（ａ）には、画像要素Ｂ（７６ｂ及びパターン１２１）のＸ方向（第１方向）の長さが画像要素Ａ（パターン７６ａ）のＸ方向（第１方向）の長さよりも長いことが示されている。
　また、訂正事項２−２における「画像要素Ａの第１方向の最も一方側のドットを形成する第１ノズルと、画像要素Ｃの第１方向の最も他方側のドットを形成する第２ノズルと同じ画素に対応する第１ノズルとが前記第１方向に互いに隣接し、画像要素Ａの第１方向の最も他方側のドットを形成する第１ノズルと、画像要素Ｄの第１方向の最も一方側のドットを形成する第２ノズルと同じ画素に対応する第１ノズルとが前記第１方向に互いに隣接し、画像要素Ｂの第１方向の最も他方側のドットを形成する第１ノズルと、画像要素Ｃの第１方向の最も一方側のドットを形成する第２ノズルと同じ画素に対応する第１ノズルとが前記第１方向に互いに隣接し、」に関する記載として、本件特許明細書等の【００６２】及び図８（ａ）には、ノズル１０ａが第１ノズルに対応し、ノズル１０ｂが第２ノズルに対応し、パターン７６ａが画像要素Ａに対応し、パターン７６ｂとパターン１２１とを合わせたものが画像要素Ｂに対応し、パターン７７ｂが画像要素Ｃに対応し、パターン７７ａとパターン１２２とを合わせたものが画像要素Ｄに対応し、画像要素Ａを構成するパターン７６ａのドットを形成するノズル１０ａと、画像要素Ｃを構成するパターン７７ｂのドットを形成するノズル１０ｂと同じ画素に対応するノズル１０ａとがＸ方向（第１方向）に互いに隣接し、画像要素Ａを構成するパターン７６ａのドットを形成するノズル１０ａと、画像要素Ｄを構成するパターン７７ａのドットを形成するノズル１０ｂと同じ画素に対応するノズル１０ａとがＸ方向（第１方向）に互いに隣接し、画像要素Ｂを構成するパターン７６ｂのドットを形成するノズル１０ａと、画像要素Ｃのを構成するパターン７７ｂのドットを形成するノズル１０ｂと同じ画素に対応するノズル１０ａとがＸ方向（第１方向）に互いに隣接していることが示されている。
　そうすると、訂正事項２−１及び２−２のいずれも、本件特許明細書等に記載された範囲内でするものである。
　したがって、当該訂正事項２は、本件特許明細書等に記載した事項の範囲内でするものであって、特許法第１２０条の５第９項で準用する第１２６条第５項に適合するものである。
　
（３）訂正事項３について
ア．訂正の目的について
　訂正事項３−１は、訂正前の請求項１１の「インクジェットプリンタ」における「第１ノズルから吐出されるインク」と「第２ノズルから吐出されるインク」について、「前記複数の第１ノズルから吐出されるインクの色と、前記複数の第２ノズルから吐出されるインクの色とが同じ色であり」と具体的に限定するものである。
　また、訂正事項３−２は、訂正前の請求項１１の「インクジェットプリンタ」における「第２ヘッドユニット」について、「前記画像要素Ｂに対応する前記第２ノズルを有さず、」と具体的に限定するものである。
　そうすると、訂正事項３−１及び３−２のいずれも、特許法第１２０条の５第２項ただし書第１号に規定する特許請求の範囲の減縮を目的とするものである。
　
イ．実質上特許請求の範囲を拡張し、又は変更するものではないこと
　訂正事項３−１及び３−２は、実質上特許請求の範囲を拡張し、又は変更するものではないから、特許法第１２０条の５第９項で準用する第１２６条第６項に適合するものである。
　
ウ．本件特許明細書等に記載した事項の範囲内の訂正であること
　訂正事項３−１に関する記載として、本件特許明細書等の【００８５】に「そして、変形例１１では、Ｓ１０１の検査用画像６０の印刷時に、ヘッドユニット１１ａ、１１ｂの同じ色のインクを吐出するノズル１０ａ、１０ｂからインクを吐出させる。例えば、図１３（ａ）に太線で示すように、ヘッドユニット１１ａ、１１ｂの搬送方向の最も上流側に配置されたノズル列１４１ａ、１４１ｂを形成するノズル１０ａ、１０ｂからブラックのインクを吐出させる。この場合には、各パターンが全て同じ色で印刷されるため、第１印刷画像２６１や第２印刷画像２６２の視認性が高くなる。」と記載されている。
　また、訂正事項３−２に関する記載として、本件特許明細書等の図１１（ａ）には、画像要素Ｂ（パターン７６ａ）に対応する第２ノズルがないことが示されている。
　そうすると、訂正事項３−１及び３−２のいずれも、本件特許明細書等に記載された範囲内でするものである。
　したがって、当該訂正事項３は、本件特許明細書等に記載した事項の範囲内でするものであって、特許法第１２０条の５第９項で準用する第１２６条第５項に適合するものである。
　
（４）訂正事項４について
ア．訂正の目的について
　訂正事項４−１は、訂正前の請求項１２の「インクジェットプリンタ」における「第１ノズルから吐出されるインク」と「第２ノズルから吐出されるインク」について、「前記複数の第１ノズルから吐出されるインクの色と、前記複数の第２ノズルから吐出されるインクの色とが同じ色であり」と具体的に限定するものである。
　また、訂正事項４−２は、訂正前の請求項１２の「インクジェットプリンタ」における「画像要素Ａ」及び「画像要素Ｂ」について、「前記画像要素Ｂの前記第１方向の長さが前記画像要素Ａの前記第１方向の長さよりも長い」と具体的に限定するものである。
　そうすると、訂正事項４−１及び４−２のいずれも、特許法第１２０条の５第２項ただし書第１号に規定する特許請求の範囲の減縮を目的とするものである。
　
イ．実質上特許請求の範囲を拡張し、又は変更するものではないこと
　訂正事項４−１及び４−２は、実質上特許請求の範囲を拡張し、又は変更するものではないから、特許法第１２０条の５第９項で準用する第１２６条第６項に適合するものである。
　
ウ．本件特許明細書等に記載した事項の範囲内の訂正であること
　当該訂正事項４−１に関する記載として、本件特許明細書等の【００８５】に「そして、変形例１１では、Ｓ１０１の検査用画像６０の印刷時に、ヘッドユニット１１ａ、１１ｂの同じ色のインクを吐出するノズル１０ａ、１０ｂからインクを吐出させる。例えば、図１３（ａ）に太線で示すように、ヘッドユニット１１ａ、１１ｂの搬送方向の最も上流側に配置されたノズル列１４１ａ、１４１ｂを形成するノズル１０ａ、１０ｂからブラックのインクを吐出させる。この場合には、各パターンが全て同じ色で印刷されるため、第１印刷画像２６１や第２印刷画像２６２の視認性が高くなる。」と記載されている。
　また、訂正事項４−２に関する記載として、本件特許明細書等の図１１（ａ）には、画像要素Ｂ（７６ａ及びパターン７８）のＸ方向（第１方向）の長さが画像要素Ａ（パターン７６ｂ及び７６ｃ）のＸ方向（第１方向）の長さよりも長いことが示されている。
　そうすると、訂正事項４−１及び４−２のいずれも、本件特許明細書等に記載された範囲内でするものである。
　したがって、当該訂正事項４は、本件特許明細書等に記載した事項の範囲内でするものであって、特許法第１２０条の５第９項で準用する第１２６条第５項に適合するものである。
　
３．特許出願の際に独立して特許を受けることができることについて
　本件特許についての特許異議の申立て事件では、訂正前の請求項１乃至１２について特許異議の申立ての対象とされているから、本件訂正における訂正前の請求項８、９、１１、１２に係る訂正事項１乃至４に関して、特許法第１２０条の５第９項で読み替えて準用する同法第１２６条第７項の独立特許要件は課されない。
　
４．まとめ　
　以上のとおり、訂正事項１に関して、特許法第１２０条の５第９項で準用する同法第１２６条第５項に適合するものではないから、本件訂正後の請求項８についての訂正は認められない。
　また、訂正事項２乃至４に関して、特許法第１２０条の５第２項ただし書き第１号に掲げる事項を目的とするものであり、かつ、同条第９項において準用する同法第１２６条第５項及び第６項の規定に適合するので、本件訂正後の請求項９、１１、１２についての訂正は、訂正要件に適合するものであるから、その訂正を認める。
第３．本件特許発明
　上記「第２．２．（１）ウ．」で述べたとおり、訂正事項１に係る本件訂正を認めることができないので、本件特許の請求項１乃至８、１０に係る発明（以下、それぞれ「本件特許発明１乃至８、１０」という。）は、願書に添付した特許請求の範囲の請求項１乃至８、１０に記載された事項により特定されるものであり、また、上記「第２．２．（２）乃至（４）」で述べたとおり、訂正事項２乃至４に係る本件訂正は認められるから、かかる訂正により訂正された請求項９、１１及び１２に係る発明（以下、それぞれ「本件特許発明９、１１及び１２」という。）は、平成３１年３月７日付け訂正請求書に添付した特許請求の範囲の請求項９、１１及び１２に記載された事項により特定されるものであり、それぞれ次のとおりのものである。
「【請求項１】
　第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　少なくとも２つの第１ノズルは、第２ノズルと同じ画素に対応しており、
　前記制御手段は、
　前記第１ノズルから吐出されるインクによって形成される画像要素Ａと、
　前記第１方向において前記画像要素Ａよりも一方側の画素に対応する前記第１ノズルから吐出されるインクによって形成され、前記画像要素Ａと間隔をあけて並ぶ画像要素Ｂと、
　前記第１方向において前記画像要素Ａと前記画像要素Ｂとの間の画素に対応する前記第２ノズルから吐出されたインクによって形成された画像要素Ｃと、
　前記第１方向において前記画像要素Ａよりも他方側の画素に対応する前記第２ノズルから吐出されるインクによって形成される画像要素Ｄと、
　を有し、前記画像要素Ａと前記画像要素Ｂと前記画像要素Ｃと前記画像要素Ｄとが前記第１方向に並んだ第１検査用画像を印刷させるように前記第１ヘッドユニット及び前記第２ヘッドユニットを制御し、
　前記制御装置は、
　前記画像要素Ｂの前記第１方向における長さが前記画像要素Ａの前記第１方向における長さよりも長く、前記画像要素Ｄの前記第１方向における長さが前記画像要素Ｃの前記第１方向における長さよりも長い、前記第１検査用画像を印刷させる、
　ように前記第１ヘッドユニット及び前記第２ヘッドユニットを制御することを特徴とするインクジェットプリンタ。
【請求項２】
　少なくとも３つの前記第１ノズルが、前記第２ノズルと同じ画素に対応しており、
　前記制御手段は、
　前記第１ノズルから吐出されたインクによって形成され、前記第１方向に間隔をあけて並んだ２つの画像要素Ｅと、
　前記画像要素Ｅを形成する画素に対応する前記第２ノズルから吐出されたインクによって形成され、前記第１方向に間隔をあけて並んだ２つの画像要素Ｆと、を有し、前記第１検査用画像と前記第２方向にずれて配置された第２検査用画像をさらに印刷させるように、前記第１ヘッドユニット及び前記第２ヘッドユニットの駆動素子を制御することを特徴とする請求項１に記載のインクジェットプリンタ。
【請求項３】
　前記第１ヘッドユニットが、互いに異なる色のインクを吐出する複数種類の前記第１ノズルを備え、各色のインクを吐出する前記第１ノズルが、それぞれ、前記第１方向に配列され、
　前記第２ヘッドユニットが、互いに異なる色のインクを吐出する複数種類の前記第２ノズルを備え、各色のインクを吐出する前記第２ノズルが、それぞれ、前記第１方向に配列され、
　前記制御装置は、吐出する色が同じ前記第１ノズルと前記第２ノズルとからインクを吐出させることによって前記第１検査用画像を印刷させることを特徴とする請求項１又は２に記載のインクジェットプリンタ。
【請求項４】
　前記第１ヘッドユニットが、複数の前記第１ノズルが前記第１方向に配列されることによってそれぞれ形成され、前記第２方向に並んだ複数の第１ノズル列を有し、
　前記第２ヘッドユニットが、複数の前記第２ノズルが前記第１方向に配列されることによってそれぞれ形成され、前記第２方向に並んだ複数の第２ノズル列を有し、
　前記制御手段は、複数の前記第１ノズル列のうち、前記第２ヘッドユニットに最も近い前記第１ノズル列を形成する前記第１ノズルと、複数の前記第２ノズル列のうち、前記第１ヘッドユニットに最も近い前記第２ノズル列を形成する前記第２ノズルとからインクを吐出させることにより、前記第１検査用画像を印刷させることを特徴とする請求項１〜３のいずれかに記載のインクジェットプリンタ。
【請求項５】
　前記制御手段は、前記第１検査用画像の、前記第１ノズル及び前記第２ノズルから吐出されたインクが被記録媒体に着弾することによって形成されたドットの径が、前記ノズル間隔以下となるように、前記第１ノズル及び前記第２ノズルからインクを吐出させることを特徴とする請求項１〜４のいずれかに記載のインクジェットプリンタ。
【請求項６】
　前記制御手段は、前記第１検査用画像の、前記第１ノズル及び前記第２ノズルから吐出されたインクが被記録媒体に着弾することによって形成されたドットの径が、前記ノズル間隔と同じとなるように、前記第１ノズル及び前記第２ノズルからインクを吐出させることを特徴とする請求項５に記載のインクジェットプリンタ。
【請求項７】
　前記制御手段は、前記画像要素Ａ及び前記画像要素Ｂの形成に使用する前記第１ノズルと、前記画像要素Ｃ及び前記画像要素Ｄの形成に使用する前記第２ノズルとの組み合わせを互いに異ならせた、複数の前記第１検査用画像を印刷させることを特徴とする請求項１〜６のいずれかに記載のインクジェットプリンタ。
【請求項８】
　第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　少なくとも２つの第１ノズルは、第２ノズルと同じ画素に対応しており、
　前記制御手段は、
　前記第１ノズルから吐出されるインクによって形成される画像要素Ａと、
　前記第１方向において前記画像要素Ａよりも一方側の画素に対応する前記第１ノズルから吐出されるインクによって形成され、前記画像要素Ａと間隔をあけて並ぶ画像要素Ｂと、
　前記第１方向において前記画像要素Ａと前記画像要素Ｂとの間の画素に対応する前記第２ノズルから吐出されたインクによって形成された画像要素Ｃと、
　前記第１方向において前記画像要素Ａよりも他方側の画素に対応する前記第２ノズルから吐出されるインクによって形成される画像要素Ｄと、
　を有し、前記画像要素Ａと前記画像要素Ｂと前記画像要素Ｃと前記画像要素Ｄとが前記第１方向に並んだ第１検査用画像を印刷させるように前記第１ヘッドユニット及び前記第２ヘッドユニットを制御し、
　前記第２ヘッドユニットが、前記画像要素Ｂに対して前記第１方向の前記一方側に隣接する画素に対応する前記第２ノズルを有さず、
　前記第１ヘッドユニットが、前記画像要素Ｄに対して前記第１方向の前記他方側に隣接する画素に対応する前記第１ノズルを有さないことを特徴とするインクジェットプリンタ。
【請求項９】
　第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　前記複数の第１ノズルから吐出されるインクの色と、前記複数の第２ノズルから吐出されるインクの色とが同じ色であり、
　少なくとも２つの第１ノズルは、第２ノズルと同じ画素に対応しており、
　前記制御手段は、
　前記第１ノズルから吐出されるインクによって形成される画像要素Ａと、
　前記第１方向において前記画像要素Ａよりも一方側の画素に対応する前記第１ノズルから吐出されるインクによって形成され、前記画像要素Ａと間隔をあけて並ぶ画像要素Ｂと、
　前記第１方向において前記画像要素Ａと前記画像要素Ｂとの間の画素に対応する前記第２ノズルから吐出されたインクによって形成された画像要素Ｃと、
　前記第１方向において、前記第２ノズルから吐出されるインクによって形成され、前記第１方向において、前記画像要素Ａよりも他方側の画素に対応する前記第２ノズルから吐出されるインクによって形成される画像要素Ｄと、
　を有し、前記画像要素Ａと前記画像要素Ｂと前記画像要素Ｃと前記画像要素Ｄとが前記第１方向に並
び、前記画像要素Ｂの前記第１方向の長さが前記画像要素Ａの前記第１方向の長さよりも長い
　
画像要素Ａの第１方向の最も一方側のドットを形成する第１ノズルと、画像要素Ｃの第１方向の最も他方側のドットを形成する第２ノズルと同じ画素に対応する第１ノズルとが前記第１方向に互いに隣接し、
　画像要素Ａの第１方向の最も他方側のドットを形成する第１ノズルと、画像要素Ｄの第１方向の最も一方側のドットを形成する第２ノズルと同じ画素に対応する第１ノズルとが前記第１方向に互いに隣接し、
　画像要素Ｂの第１方向の最も他方側のドットを形成する第１ノズルと、画像要素Ｃの第１方向の最も一方側のドットを形成する第２ノズルと同じ画素に対応する第１ノズルとが前記第１方向に互いに隣接し、
　前記制御装置は、前記第１検査用画像の印刷において、
　前記画像要素Ｂに対して前記第１方向の前記一方側に隣接する画素に対応する前記第２ノズルからインクを吐出させず、
　前記画像要素Ｄに対して前記第１方向の前記他方側に隣接する画素に対応する前記第１ノズルからインクを吐出させない、
　ように前記第１ヘッドユニット及び前記第２ヘッドユニットを制御することを特徴とするインクジェットプリンタ。
【請求項１０】
　第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　少なくとも４つの前記第１ノズルは、前記第２ノズルと同じ画素に対応しており、
　前記制御手段は、
　Ｎを２以上の自然数として、
　前記第１ノズルから吐出されるインクによって形成され、前記第１方向に間隔をあけて並ぶＮ個の画像要素Ａと、
　前記第１方向において最も一方側の前記画像要素Ａよりも前記一方側の画素に対応する前記第１ノズルから吐出されるインクによって形成され、前記第１方向において最も前記一方側の前記画像要素Ａと間隔をあけて並ぶ画像要素Ｂと、
　前記第１方向に隣接する２つの前記画像要素Ａの間の画素、及び、前記第１方向において最も前記一方側の前記画像要素Ａと前記画像要素Ｂとの間の画素に対応する前記第２ノズルから吐出されるインクによって形成され、前記第１方向に間隔をあけて並ぶＮ個の画像要素Ｃと、
　前記第１方向において最も他方側の前記画像要素Ａよりも前記他方側の画素に対応する前記第２ノズルから吐出されるインクによって形成される画像要素Ｄと、
　を有し、前記Ｎ個の画像要素Ａと前記画像要素Ｂと前記Ｎ個の画像要素Ｃと前記画像要素Ｄとが前記第１方向に並んだ第１検査用画像を印刷させるように前記第１ヘッドユニット及び前記第２ヘッドユニットを制御し、
　前記制御手段は、
　前記画像要素Ｂの前記第１方向における長さが前記画像要素Ａの前記第１方向における長さよりも長く、前記画像要素Ｄの前記第１方向における長さが前記画像要素Ｃの前記第１方向における長さよりも長い、前記第１検査画像を印刷させる、
　ように前記第１ヘッドユニット及び前記第２ヘッドユニットを制御することを特徴とするインクジェットプリンタ。
【請求項１１】
　第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　前記第１ノズルから吐出されるインクの色と、前記第２ノズルから吐出されるインクの色とが同じ色であり、
　少なくとも４つの前記第１ノズルは、前記第２ノズルと同じ画素に対応しており、
　前記制御手段は、
　Ｎを２以上の自然数として、
　前記第１ノズルから吐出されるインクによって形成され、前記第１方向に間隔をあけて並ぶＮ個の画像要素Ａと、
　前記第１方向において最も一方側の前記画像要素Ａよりも前記一方側の画素に対応する前記第１ノズルから吐出されるインクによって形成され、前記第１方向において最も前記一方側の前記画像要素Ａと間隔をあけて並ぶ画像要素Ｂと、
　前記第１方向に隣接する２つの前記画像要素Ａの間の画素、及び、前記第１方向において最も前記一方側の前記画像要素Ａと前記画像要素Ｂとの間の画素に対応する前記第２ノズルから吐出されるインクによって形成され、前記第１方向に間隔をあけて並ぶＮ個の画像要素Ｃと、
　前記第１方向において最も他方側の前記画像要素Ａよりも前記他方側の画素に対応する前記第２ノズルから吐出されるインクによって形成される画像要素Ｄと、
　を有し、前記Ｎ個の画像要素Ａと前記画像要素Ｂと前記Ｎ個の画像要素Ｃと前記画像要素Ｄとが前記第１方向に並んだ第１検査用画像を印刷させるように前記第１ヘッドユニット及び前記第２ヘッドユニットを制御し、
　前記第２ヘッドユニットが、前記画像要素Ｂに対して前記第１方向の前記一方側に隣接する画素に対応する前記第２ノズルを有さず、
　前記画像要素Ｂに対応する前記第２ノズルを有さず、
　前記第１ヘッドユニットが、前記画像要素Ｄに対して前記第１方向の前記他方側に隣接する画素に対応する前記第１ノズルを有さないことを特徴とするインクジェットプリンタ。
【請求項１２】
　第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　前記第１ノズルから吐出されるインクの色と、前記第２ノズルから吐出されるインクの色とが同じ色であり、
　少なくとも４つの前記第１ノズルは、前記第２ノズルと同じ画素に対応しており、
　前記制御手段は、
　Ｎを２以上の自然数として、
　前記第１ノズルから吐出されるインクによって形成され、前記第１方向に間隔をあけて並ぶＮ個の画像要素Ａと、
　前記第１方向において最も一方側の前記画像要素Ａよりも前記一方側の画素に対応する前記第１ノズルから吐出されるインクによって形成され、最も前記一方側の前記画像要素Ａと間隔をあけて並ぶ画像要素Ｂと、
　前記第１方向に隣接する２つの前記画像要素Ａの間の画素、及び、前記第１方向において最も前記一方側の前記画像要素Ａと前記画像要素Ｂとの間の画素に対応する前記第２ノズルから吐出されるインクによって形成され、前記第１方向に間隔をあけて並ぶＮ個の画像要素Ｃと、
　前記第１方向において最も他方側の前記画像要素Ａよりも前記他方側の画素に対応する前記第２ノズルから吐出されるインクによって形成される画像要素Ｄと、
　を有し、前記Ｎ個の画像要素Ａと前記画像要素Ｂと前記Ｎ個の画像要素Ｃと前記画像要素Ｄとが前記第１方向に並
び、前記画像要素Ｂの前記第１方向の長さが前記画像要素Ａの前記第１方向の長さよりも長い
　前記制御手段は、前記第１検査用画像の印刷において、
　前記画像要素Ｂに対して前記第１方向の前記一方側に隣接する画素に対応する前記第２ノズルからインクを吐出させず、
　前記画像要素Ｄに対して前記第１方向の前記他方側に隣接する画素に対応する前記第１ノズルからインクを吐出させない、
　ように前記第１ヘッドユニット及び前記第２ヘッドユニットを制御することを特徴とするインクジェットプリンタ。」
第４．申立理由の概要
１．特許法第２９条第１項第３号違反
（１）本件特許発明９は、甲第１号証（特開２０１０−１４３１３８号公報）発明と同一である。
（２）本件特許発明９は、甲第２号証（特開２０１０−５８５０３号公報）発明と同一である。
（３）本件特許発明１２は、甲第２号証発明と同一である。
２．特許法第２９条第２項
（１）本件特許発明８は、甲第１号証発明に基づいて当業者が容易に発明をすることができたものである。
（２）本件特許発明１１は、甲第２号証発明及び甲第１号証発明に基づいて当業者が容易に発明をすることができたものである。
　
３．特許法第３６条第６項第１号
　本件特許発明１乃至１２は、第１検査用画像に形成された筋の数によって、ヘッドユニット同士のずれの向きを検出することを課題とする発明であるところ、本件特許発明１乃至１２には、印刷された第１検査用画像を用いて、どのようにヘッドユニット同士のずれの向きを検出するのかが規定されていないから、発明の詳細な説明に記載したものではない。
第５．取消理由通知（決定の予告）の概要
　訂正前の請求項８，９、１１、１２に係る特許に対して，当審が平成３１年１月８日に特許権者に通知した取消理由通知（決定の予告）の要旨は、次のとおりである。
　本件特許の下記の請求項に係る発明は、本件特許の出願前日本国内または外国において頒布された下記の刊行物に記載された発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。
［請求項８、９に対して］
　甲第１号証：特開２０１０−１４３１３８号公報
［請求項１１、１２に対して］
　甲第１号証：特開２０１０−１４３１３８号公報
　甲第２号証：特開２０１０−５８５０３号公報
第６．当審の判断
１．各刊行物の記載　
（１）刊行物１（甲第１号証）　
　本件特許に係る出願の出願前の平成２２年７月１日に頒布された特開２０１０−１４３１３８号公報（甲第１号証）には、次の事項が記載されている。（下線は当審で付した。以下同様。）
ア．「【技術分野】
【０００１】
　本発明は、記録紙等の記録媒体にインクを吐出して記録を行うインクジェット記録装置、インクジェット記録システム、およびインクジェット記録方法に関するものである。」
イ．「【発明が解決しようとする課題】
【０００８】
　特許文献１のように、隣接するチップのオーバーラップ部分の記録濃度を相補的に増減させた場合に、チップ間の位置ずれが発生すると、隣接するチップのオーバーラップ部分で記録濃度の相補的な関係が維持されず、濃度ムラが発生してしまう。また、チップ間の位置ずれが生じた際の対策として、一般的には、画像データをずらす、使用ノズル範囲をずらす等の手法により、チップの記録位置をずらす方法が知られている。しかし、このような記録位置の調整方法は、１画素単位で画像データをずらす、もしくはノズルピッチ単位で使用ノズル範囲をずらすしか行うことができない。そのため、例えば、チップ間の位置ずれが半画素分生じた場合、その位置ずれによって発生した濃度ムラは緩和できない。
【０００９】
　本発明の目的は、ノズル列のつなぎ部分（オーバーラップ部分）による記録濃度を適確に補正することができるインクジェット記録装置、インクジェット記録システム、およびインクジェット記録方法を提供することにある。」
ウ．「【００１８】
　記録部５には、フルラインタイプのインクジェット記録ヘッド４０が着脱可能に備えられている。記録ヘッド４０には、記録用紙Ｐの搬送方向Ｘと交差（本例の場合は直交）する方向に沿って、記録媒体Ｐの全幅に渡って複数のノズルが形成されている。記録ヘッド４０としては、ブラックインク、シアンインク、マゼンタインク、およびイエローインク用の記録ヘッド４０Ｋ、４０Ｃ、４０Ｍ、および４０Ｙが用いられる。これらの記録ヘッドは、記録用紙Ｐの搬送方向上流側から下流側に向かって、記録ヘッド４０Ｋ、４０Ｃ、４０Ｍ、４０Ｙの順に所定の間隔をもって位置するように、ヘッドホルダ４１に取り付けられる。また、記録装置１には、後述するように、記録用紙Ｐに記録された画像を検出するための読み取り部（検出手段）が備えられている。排出部４は、排出ローラ４４と拍車４５とによって構成されている。記録部５において画像が形成された記録用紙Ｐは、これらの排出ローラ４４と拍車４５とによって搬送されて、排出トレイ４６上に排出される。
【００１９】
　図２（ａ）は、記録装置１において用いられる記録ヘッド４０の概略構成図である。本例の記録ヘッド４０は、記録素子を備えるチップ５１が千鳥配置状に複数配列されており、それぞれのチップ５１には、記録素子として、吐出エネルギー発生手段を備えたノズルＮが形成されている。ノズルＮは、インク吐出口、インク流路、および吐出エネルギー発生手段を含む構成となっており、吐出エネルギー発生手段としては、電気熱変換素子（ヒータ）やピエゾ素子などを用いることができる。電気熱変換素子を用いた場合には、その発熱によりインクを発泡させ、その発泡エネルギーを利用して、インク吐出口からインクを吐出させることができる。
【００２０】
　それぞれのチップ５１におけるノズルＮは、所定のノズルピッチで形成されている。互いに隣接するチップ５１同士のつなぎ部ＰＡにおいて、チップ５１は所定数のノズルだけオーバーラップしている。以下においては、チップ５１のつなぎ部ＰＡをチップつなぎ部、または単につなぎ部ともいう。
　図２（ａ）においては、説明の便宜上、チップ５１の数は５つ、チップ５１におけるノズルの形成数を１０、つなぎ部ＰＡにてオーバーラップするノズル数を３としている。しかし、これらの数は何れも限定されるものではない。
【００２１】
　図２（ｂ）は、図２（ａ）の記録ヘッド４０をノズル列方向（ノズルの配列方向）に複数個並べた場合の概略図である。本例の場合、２つの記録ヘッド４０がノズル列方向に配列されており、互いに隣接する記録ヘッド４０同士のつなぎ部ＰＢにおいて、それらの記録ヘッド４０は所定数のノズルだけオーバーラップしている。以下においては、ヘッド４０のつなぎ部ＰＢをヘッドつなぎ部、または単につなぎ部ともいう。チップつなぎ部ＰＡとヘッドつなぎ部ＰＢにおいて、オーバーラップするノズル数は同じでもよいし、異なっていてもよい。
…
【００２３】
　なお、チップつなぎ部ＰＡとヘッドつなぎ部ＰＢは、ノズル列をオーバーラップさせている点について原理的な違いはない。以下においては、図２（ａ）のような単一の記録ヘッドを使用する構成を例に説明する。しかし、図２（ｂ）のように複数の記録ヘッドを並べて使用する構成においても同様である。
…
【００２６】
　図３は、記録装置１における制御系の概略構成図である。　
　ＣＰＵ１０００は、搬送ベルト１６等を駆動するためのモータ１０４をモータドライバ１０６を介して制御すると共に、記録ヘッド４０をヘッドドライバ１０Ａを介して制御する。ＣＰＵ１０００は中央演算装置であり、ホスト装置２００から記録情報を受け取ると、記録装置１の各部の制御やデータ処理などを実行する。ＣＰＵ１０００は、記録ヘッド４０から吐出されるインク滴によって形成されるドットの配置を制御するための画像処理機能を有する。ＲＯＭ１０１には、ＣＰＵ１０００の各処理手順に関する処理プログラムやテーブルが記憶され、ＲＡＭ１０２は、その処理手順実行の際のワークエリアなどとして用いられる。すなわち、ＣＰＵ１０００は、ＲＯＭ１０１に記憶されている制御プログラムにしたがって、ＲＡＭ１０２などの周辺ユニットを用いて、ホスト装置２００から受信した記録情報を記録データに変換するなどの処理を実行する。」
エ．「【００３８】
　図６は、本実施形態における記録ヘッド４０の構成例の説明図である。例の場合、つなぎ部ＰＡにおけるノズルのオーバーラップ数は９である。
【００３９】
　図６中の（ａ）においては、互いに隣接するチップ５１，５１の一方をチップＡ、他方をチップＢとし、つなぎ部ＰＡにおいてオーバーラップするチップＡ側のノズルＮをＮＡ１〜ＮＡ９とし、オーバーラップするチップＢ側のノズルＮをＮＢ１〜ＮＢ９とする。」
オ．「【００５０】
　（テストパターン）
　図９から図１１は、チップ間のずれ量を検知するためのテストパターンを説明するための図である。図９は、チップＡによるパターンの記録例、図１０は、チップＢによるパターンの記録例の説明図である。図１１は、図９および図１０のパターンを同時に記録することによって得られるテストパターンの説明図である。
【００５１】
　まず、チップＡによって記録するパターンの例（図９）について説明する。　
　チップＡによって、ノズル列方向に４画素分、搬送方向（矢印Ｘ方向）に８画素分のドットパターンを記録し、そのドットパターンからノズル列方向に４画素ずれた位置に、同様に、ノズル列方向に４画素分、搬送方向に８画素分のパターンを記録する。このような２つのドットパターンをパターンＡ１とし、同様のパターンを搬送方向にずらして計７パターンＡ１，Ａ２，Ａ３，Ａ４，Ａ５，Ａ６，Ａ７を記録する。これらの７つのパターンは搬送方向に整列される。
【００５２】
　次に、チップＢによって記録するパターンの例（図１０）について説明する。
　チップＢによって、図１０中の計７パターンＢ１，Ｂ２，Ｂ３，Ｂ４，Ｂ５，Ｂ６，Ｂ７を記録する。これらの７つのパターンは搬送方向に整列される。パターンＢ４は、パターンＡ１からＡ７を記録するチップＡのノズルとオーバーラップするノズルによって記録されるパターンであり、パターンＡ４と同じ位置に同じパターンで記録される。パターンＢ１は、パターンＢ４を−３画素分（チップＡ，Ｂの近接方向に３画素分）ずらしたパターンである。同様に、パターンＢ２は、パターンＢ４を−２画素分ずらしたパターンであり、パターンＢ３は、パターンＢ４を−１画素分ずらしたパターンである。パターンＢ５は、パターンＢ４を１画素分（チップＡ，Ｂの離反方向に１画素分）ずらしたパターンである。同様に、パターンＢ６は、パターンＢ４を２画素分ずらしたパターンであり、パターンＢ７は、パターンＢ４を３画素分ずらしたパターンである。
【００５３】
　図１１は、図９と図１０のパターンを同時に記録して得られるテストパターンの説明図である。図１１は、チップＡ，Ｂ間にずれがない場合のテストパターンの記録結果である。
【００５４】
　図１１において、パターンＡ４とパターンＢ４は重なっている。しかし、パターンＡ３とパターンＢ３はノズル列方向に−１画素分ずれ、パターンＡ２とパターンＢ２は−２画素分ずれ、パターンＡ１とパターンＢ１は−３画素分ずれる。また、パターンＡ５とパターンＢ５はノズル列方向に１画素分ずれ、パターンＡ６とパターンＢ６は２画素分ずれ、パターンＡ７とパターンＢ７は３画素分ずれる。」
カ．「【図１１】
」
キ．上記ウ．乃至カ．より、以下の事項が把握できる。なお、下記説明図１乃至３は、それぞれ、図１１に示されているドットパターンのうち、パターンＡ１及びＢ１、パターンＡ２及びＢ２、パターンＡ３及びＢ３を抜粋し、ブラックインク、シアンインク、マゼンタインク、およびイエローインク用の各記録ヘッド４０を構成するチップＡ及びＢの個々のノズルを区別するために記号番号を付加して、記録用紙Ｐの搬送方向Ｘと交差するノズル列方向に所定のノズルピッチで配列されノズルＡｎ０〜Ａｎ１６を含む複数のノズルＮを有するチップＡとし、また、ノズル列方向に所定のノズルピッチで配列されノズルＢｎ０〜Ｂｎ２０を含む複数のノズルＮを有し、ノズル列方向と交差する記録用紙Ｐの搬送方向ＸにおいてチップＡとずれた位置に配置されたチップＢとし、かつ、本件特許発明の画像要素Ａ乃至Ｄに対応するドットパターンに記号下付け番号を付加したのものである。
（キ−１）（説明図１）
　説明図１において、チップＡのノズルＡｎ３〜Ａｎ１６は、チップＢのノズルＢｎ３〜Ｂｎ１６と同じ画素に対応している。
　説明図１におけるパターンＡ１は、チップＡのノズルＡｎ１２〜Ａｎ１４（３つのノズル）によって記録され、かつ、チップＢのノズルによって記録されないパターンである。
　パターンＢ１は、チップＡのノズルＡｎ４〜Ａｎ６（３つのノズル）によって記録され、かつ、チップＢのノズルによって記録されないパターンである。
　パターンＣ１は、チップＢのノズルＢｎ８〜Ｂｎ１０（３つのノズル）によって記録され、かつ、チップＡのノズルによって記録されないパターンである。
　パターンＤ１は、チップＢのノズルＢｎ１６〜Ｂｎ１８（３つのノズル）によって記録され、かつ、チップＡのノズルによって記録されないパターンである。
　パターンＢ１は、パターンＡ１の記録に用いられたノズルＡｎ１２〜Ａｎ１４よりもノズル列方向の一方側（説明図１では上側）のノズルＡｎ４〜Ａｎ６を用いて記録されるパターンである。チップＡは、パターンＢ１の記録に用いられるノズルとパターンＡ１の記録に用いられるノズルとの間のノズル列方向に、パターンの記録に用いられないノズルＡｎ８〜Ａｎ１１（４つのノズル）を備えている。さらに、チップＡは、ノズル列方向においてパターンＢ１の記録に用いられるノズルとパターンＡ１の記録に用いられるノズルとの間に、チップＢのノズルＢｎ７で記録されるパターンと重ねて記録されるパターンの記録に用いられるノズルＡｎ７（１つのノズル）を備えている。
　よって、パターンＢ１は、ノズル列方向においてパターンＡ１と、５つのノズル（Ａｎ７〜Ａｎ１１）に相当する間隔をあけて並ぶ。
　パターンＣ１は、ノズル列方向においてパターンＡ１の記録に用いられるノズルＡｎ１２〜Ａｎ１４とパターンＢ１の記録に用いられるノズルＡｎ４〜Ａｎ６との間に位置する、チップＢのノズルＢｎ８〜Ｂｎ１０を用いて記録されるパターンである。
　パターンＤ１は、パターンＡ１の記録に用いられるチップＡのノズルＡｎ１２〜Ａｎ１４よりも、ノズル列方向において他方側（説明図１では下側）に位置するチップＢのノズルＢｎ１６〜Ｂｎ１８を用いて記録されるパターンである。
（キ−２）（説明図２）
　説明図２におけるパターンＡ２は、チップＡのノズルＡｎ１２及びＡｎ１３（２つのノズル）によって記録され、かつ、チップＢのノズルによって記録されないパターンである。
　パターンＢ２は、チップＡのノズルＡｎ４及びＡｎ５（２つのノズル）によって記録され、かつ、チップＢのノズルによって記録されないパターンである。
　パターンＣ３は、チップＢのノズルＢｎ８及びＢｎ９（２つのノズル）によって記録され、かつ、チップＡのノズルによって記録されないパターンである。
　パターンＤ２は、チップＢのノズルＢｎ１６及びＢｎ１７（２つのノズル）によって記録され、かつ、チップＡのノズルによって記録されないパターンである。
　チップＡは、ノズル列方向においてパターンＢ２の記録に用いられるノズルとパターンＡ２の記録に用いられるノズルとの間に、パターンの記録に用いられないノズルＡｎ８〜Ａｎ１１（４つのノズル）を備えている。さらに、チップＡは、ノズル列方向においてパターンＢ２の記録に用いられるノズルとパターンＡ２の記録に用いられるノズルとの間に、チップＢのノズルＢｎ６及びＢｎ７で記録されるパターンと重ねて記録されるパターンの記録に用いられるノズルＡｎ６及びＡｎ７（２つのノズル）を備えている。
　よって、パターンＢ２は、ノズル列方向においてパターンＡ２と、６つのノズル（Ａｎ６〜Ａｎ１１）に相当する間隔をあけて並ぶ。
　パターンＣ２は、ノズル列方向においてパターンＡ２の記録に用いられるノズルＡｎ１２及びＡｎ１３とパターンＢ２の記録に用いられるノズルＡｎ４及びＡｎ５との間に位置する、チップＢのノズルＢｎ９及びＢｎ１０を用いて記録されるパターンである。
　パターンＤ２は、パターンＡ２の記録に用いられるチップＡのノズルＡｎ１２及びＡｎ１３よりも、ノズル列方向において他方側（説明図２では下側）に位置するチップＢのノズルＢｎ１７及びＢｎ１８を用いて記録されるパターンである。
（キ−３）（説明図３）
　説明図３におけるパターンＡ３は、チップＡのノズルＡｎ１２（１つのノズル）によって記録され、かつ、チップＢのノズルによって記録されないパターンである。
　パターンＢ３は、チップＡのノズルＡｎ４（１つのノズル）によって記録され、かつ、チップＢのノズルによって記録されないパターンである。
　パターンＣ３は、チップＢのノズルＢｎ８（１つのノズル）によって記録され、かつ、チップＡのノズルによって記録されないパターンである。
　パターンＤ３は、チップＢのノズルＢｎ１６（１つのノズル）によって記録され、かつ、チップＡのノズルによって記録されないパターンである。
　チップＡは、ノズル列方向においてパターンＢ３の記録に用いられるノズルとパターンＡ３の記録に用いられるノズルとの間に、パターンの記録に用いられないノズルＡｎ８〜Ａｎ１１（４つのノズル）を備えている。さらに、チップＡは、ノズル列方向においてパターンＢ３の記録に用いられるノズルとパターンＡ３の記録に用いられるノズルとの間に、チップＢのノズルＢｎ５〜Ｂｎ７で記録されるパターンと重ねて記録されるパターンの記録に用いられるノズルＡｎ５〜Ａｎ７（３つのノズル）を備えている。
　よって、パターンＢ３は、ノズル列方向においてパターンＡ３と、７つのノズル（Ａｎ５〜Ａｎ１１）に相当する間隔をあけて並ぶ。
　パターンＣ３は、ノズル列方向においてパターンＡ３の記録に用いられるノズルＡｎ１２とパターンＢ３の記録に用いられるノズルＡｎ４との間に位置する、チップＢのノズルＢｎ９を用いて記録されるパターンである。
　パターンＤ３は、パターンＡ３の記録に用いられるチップＡのノズルＡｎ１２よりも、ノズル列方向において他方側（説明図３では下側）に位置するチップＢのノズルＢｎ１７を用いて記録されるパターンである。
（キ−４）説明図１に示されているように、ノズル列方向に並んだパターンＡ１、Ｂ１、Ｃ１、Ｄ１が記録され、説明図２に示されているように、ノズル列方向に並んだパターンＡ２、Ｂ２、Ｃ２、Ｄ２が記録され、説明図３に示されているように、ノズル列方向に並んだパターンＡ３、Ｂ３、Ｃ３、Ｄ３が記録される。
（キ−５）説明図１乃至３に示されているように、パターンＢ１／Ｂ２／Ｂ３に対してノズル列方向の上側に隣接する画素に対応するチップＢのノズルＢｎ３からパターンを記録しない。
（キ−６）説明図１乃至３に示されているように、パターンＤ１／Ｄ２／Ｄ３に対してノズル列方向の下側に隣接する画素に対応するチップＡのノズルからパターンを記録しない。
　
　これらの記載を総合すると、刊行物１（甲第１号証）には、次の発明（以下、「引用発明１」という。）が記載されているものと認められる。
「記録用紙Ｐの搬送方向Ｘと交差するノズル列方向に所定のノズルピッチで配列されノズルＡｎ０〜Ａｎ１６を含む複数のノズルＮを有するチップＡと、
　このノズル列方向に所定のノズルピッチで配列されノズルＢｎ０〜Ｂｎ２０を含む複数のノズルＮを有し、ノズル列方向と交差する記録用紙Ｐの搬送方向ＸにおいてチップＡとずれた位置に配置されたチップＢと、
　ブラックインク、シアンインク、マゼンタインク、およびイエローインク用の各記録ヘッド４０を構成するチップＡ及びＢから吐出されるインク滴によって形成されるドットの配置を制御するための画像処理機能を有するＣＰＵ１０００と、を備え、
　チップＡにおけるノズルＡｎ３〜Ａｎ１６は、隣接するチップＢのノズルＢｎ３〜Ｂｎ１６と同じ画素に対応しており、
　ＣＰＵ１０００は、
　チップＡのノズルＡｎ１２〜Ａｎ１４／Ａｎ１２〜Ａｎ１３／Ａｎ１２から吐出されるインクによって形成されるパターンＡ１／Ａ２／Ａ３と、
　ノズル配列方向においてパターンＡ１／Ａ２／Ａ３よりも上側の画素に対応するチップＡのノズルＡｎ４〜Ａｎ６／Ａｎ４〜Ａｎ５／Ａｎ４から吐出されるインクによって形成され、画像要素Ａと間隔をあけて並ぶパターンＢ１／Ｂ２／Ｂ３と、
　ノズル配列方向においてパターンＡ１／Ａ２／Ａ３とパターンＢ１／Ｂ２／Ｂ３との間の画素に対応するチップＢのノズルＢｎ９〜Ｂｎ１１／Ｂｎ９〜Ｂｎ１０／Ｂｎ９から吐出されたインクによって形成されたパターンＣ１／Ｃ２／Ｃ３と、
　ノズル配列方向において、パターンＡ１／Ａ２／Ａ３よりも下側の画素に対応するチップＢのノズルＢｎ１６〜Ｂｎ１８／Ｂｎ１６〜Ｂｎ１７／Ｂｎ１６から吐出されるインクによって形成されるパターンＤ１／Ｄ２／Ｄ３と、を有し、
　パターンＡ１／Ａ２／Ａ３とパターンＢ１／Ｂ２／Ｂ３とパターンＣ１／Ｃ２／Ｃ３とパターンＤ１／Ｄ２／Ｄ３とが、ノズル列方向に並んだテストパターンを印刷させるように各記録ヘッド４０を制御し、
　ＣＰＵ１０００は、テストパターンの印刷において、
　パターンＢ１／Ｂ２／Ｂ３に対してノズル列方向の上側に隣接する画素に対応するチップＢのノズルＢｎ３からパターンを記録せず、
　パターンＤ１／Ｄ２／Ｄ３に対してノズル列方向の下側に隣接する画素に対応するチップＡのノズルＮからパターンを記録しない、ようにチップＡ及びチップＢを制御するインクジェット記録装置。」
　
（２）刊行物２（甲第２号証）
　本件特許に係る出願の出願前の平成２２年３月１８日に頒布された特開２０１０−５８５０３号公報（甲第２号証）には、次の事項が記載されている。
ア．「【技術分野】
【０００１】
　本発明は、インクを吐出するための記録ヘッドを用いて記録を行うインクジェット記録装置およびインクジェット記録方法に関する。詳しくは、複数のノズル列相互の記録位置ずれを補正するための構成に関するものである。
…
【０００３】
　ところで、インクジェット記録装置の一形態として、ノズル配列長さの短い、シアンなどのカラーインクを吐出するノズル列と、ノズル配列長さがそれより長い、ブラックインクを吐出するブラックノズル列と、を設けた記録ヘッドを用いる記録装置が知られている。このような記録ヘッドを用いることにより、例えば、記録紙など記録媒体に対するインクの滲みによる問題を低減することができるとともに、ブラック単色の画像を高速に記録することが可能となる。
【０００４】
　例えば、ブラックインクとカラーインクの両方を用いる画像を記録するときに、長いノズル配列のブラックノズル列では一部のノズルのみを使用し、かつ、記録媒体上の同一領域に対してブラックインクとカラーインクとを異なる走査で吐出するようにする。これにより、同一領域に対してブラックインクとカラーインクは、約１回の走査分の定着時間をおいて付与されることになることから、これらインク相互の滲みを抑えることができる。また、ブラックインクのみを用いる画像を記録する場合には、ノズル配列長さの長いブラックノズル列のみを用いることにより、記録ヘッドの１走査あたりの記録領域を大きくでき、ブラック単色画像の高速記録が実現できる。」
イ．「【発明が解決しようとする課題】
【０００６】
　しかしながら、ブラックインクとカラーインクの両方を用いる領域とブラックインクのみを用いる領域とが混在した画像を記録する場合、次のような問題がある。この場合に、上述したノズル列相互の記録位置ずれを調整する構成をそのまま適用すると、ブラックインクのみを用いる領域の画像を記録する場合に、そのより長いノズル列配列長さによる高速記録を十分に実現できないことがある。すなわち、複数のノズル列間の相対的な記録位置を調整する調整値が、１つのノズル列のみを用いて記録するときにも適用される。それによって、両方のインクを用いて記録する領域とブラックインクのみを用いて記録する領域の間で上記調整によって生じ得るずれを防止できるとともに、いずれの領域の記録でも複数のノズル列間の記録位置ずれが解消した記録を行うことは可能となる。しかし、１つのノズル列のみを用いて記録する場合に、記録位置ずれの調整のために、そのノズル列の総てのノズルを使用することができず、その結果、より長いノズル列配列長さによる高速記録を十分に実現できないことがある。
【０００７】
　例えば、ノズル配列長がより長いブラックノズル列の一部と、短いカラーノズル列とを用いて記録を行うために、ブラックノズル列の一部とカラーノズル列との副走査方向の記録位置ずれの調整を行う場合、そのずれに応じてブラックノズル列の使用範囲を変更する。そして、ブラック単色画像の領域を記録するとき、ブラックノズル列は記録位置調整の調整値に応じて変更した範囲のノズルしか使用できず、ブラックノズル列の全ノズルを用いた高速記録を十分に実現することができない。
【０００８】
　本発明の目的は、複数のノズル列相互の記録位置ずれの調整を行っても、１つのノズル列のみを用いて記録するときの高速記録を十分に実現することが可能なインクジェット記録装置およびインクジェット記録方法を提供することである。」
ウ．「【００１９】
　記録装置１００は、記録用データを取得する外部Ｉ／Ｆ１０１と、メモリカードなどに代表される外部ストレージよりデータを取得するためのメモリカードＩ／Ｆ１０２とを具備している。いずれかのＩ／Ｆから取得したデータは、データ処理部１０３によって解析され、そのデータは記録用データ保存領域１０４に蓄積されるとともに、コントロール部１０５に伝達される。コントロール部１０５は、記録動作のシーケンスを実行するために、記録装置内の各デバイスを制御する記録制御部（単に、制御部ともいう）１０６に記録動作の指令を行う。記録動作の指令を基に、記録制御部１０６は、搬送ローラを制御する用紙搬送デバイス１０７、排紙ローラを制御する用紙送りデバイス１０８に指令を行い、用紙の搬送を行う。用紙搬送中は、センサ１０９を用いて用紙の搬送状況を確認する。したがって、本実施形態では、搬送ローラ、該搬送ローラを制御する用紙搬送デバイス１０７、排紙ローラ、該排紙ローラを制御する用紙送りデバイス１０８が、記録媒体を所定方向（副走査方向）に搬送する搬送部に相当している。また、記録制御部１０６は、記録部としての記録デバイス１１０を制御し、記録動作を実行する。この記録動作の中には、例えば、後述される複数のノズル列間の記録位置ずれの調整に係わる制御も含まれる。」
エ．「【００２５】
　記録ヘッド１１２には、ブラックノズル列３０２（第１のノズル列）とシアンノズル列３０３（第２のノズル列）が記録ヘッドの走査方向（図中Ｘ方向）に配列されている。なお、記録ヘッドにおけるカラーノズル列として、イエローノズル列、マゼンタノズル列も備えられている。しかし、ここでは、以下の記録位置調整の説明などを簡単にするために、ブラックノズル列とシアンノズル列の場合について記録位置調整やそれに関連した記録制御の説明を行う。
【００２６】
　ブラックノズル列３０２は。（審決注：「、」の誤記。）副走査方向（図中Ｙ方向）に配列するノズルｎｂ１〜ｎｂ２０の２０個のノズルで構成され、シアンノズル列３０３は同じく副走査方向に配列するノズルｎｃ１〜ｎｃ８の８個のノズルで構成されている。ブラックノズル列におけるノズルｎｂ３〜ｎｂ１０と、シアンノズル列におけるノズルｎｃ１〜ｎｃ８とは、副走査方向Ｙにおいて、ノズル列間相互にずれが無いとしたときにそれぞれ等しい位置に配置されるものである。すなわち、ブラックノズル列の一部のノズルはシアンノズル列と走査方向で重なる位置に配置されている。なお、図３に示すように本実施形態の複数のノズル列は一体の記録ヘッドとして構成されるものであるが、この形態に限られないことはもちろんである。例えば、複数のノズル列それぞれが個別の記録ヘッドとして構成されてもよい。この場合のノズル列間に生じ得るずれは記録ヘッドの例えば装着位置ずれなどに起因したものとなる。」
オ．「【００３３】
　このテストパターンは、シアンノズル列３０３により記録されるパターン４０１に対して、ブラックノズル列３０２により記録されるパターン４０２を副走査方向に所定量ずつずらして記録した複数のパターンからなるものである。すなわち、シアンのパターン４０１とブラックのパターン４０２との副走査方向のずれ量がそれぞれ異なる複数のパターンが記録される。なお、以降の説明においては、シアンのパターン４０１、ブラックのパターン４０２ともに、副走査方向のサイズを１つのノズルで記録される１ドット分として説明するが、各パターンの副走査方向のサイズは数ドット（例えば４ドット）であっても良い。
【００３４】
　図４に示す例では、シアンパターン４０１とブラックパターン４０２相互の副走査方向のずれ量を０としたパターン４００と、これらパターン間の副走査方向のずれ量が異なる４つのパターン４０６、４０５、４０３、４０４を記録する。具体的には、シアンパターン４０１を基準に、ブラックノズル列の使用ノズルの範囲を１ノズルずつ異ならせることにより、シアンパターン４０１に対してブラックパターン４０２を副走査方向に＋１ずらしたパターン４０３、＋２ずらしたパターン４０４を記録する。また、逆に、副走査方向に−１ずらした位置にパターン４０５、−２ずらしたパターン４０６を記録する。
【００３５】
　本実施形態では、シアンノズル列とブラックノズル列との間に副走査方向の記録位置ず
れがない場合は、ずれ量０のパターンにおいてシアンのパターンとブラックのパターンとが隙間無く副走査方向に交互に並ぶように記録される。その結果、このずれ量０のパターンが５つのパターンの中で濃度が最も高くなる。
【００３６】
　ここで、パターンのずれ量について説明すると、基準となるシアンパターンに対してブラックパターンを副走査方向下流側（図面の上方向）にずらす場合を“−”で表している。また、副走査方向上流方向（図面の下方向）にずらす場合を“＋”で表している。また、本実施形態ではブラックノズル列、シアンノズル列とも６００ｄｐｉピッチでノズルを配列しており、シアンパターンに対してブラックパターンを６００ｄｐｉ単位でずらして記録することができる。そのため、例えば“−１”で表されるずれ量は、シアンパターン４０１を基準にブラックパターンを下流側に１／６００ｉｎｃｈずらして記録したことを示す。つまり、“−１”のずれ量のパターン４０５はブラックノズル列における使用ノズルを１ノズル分下流側にシフトして記録したものである。」
カ．「【００４１】
　以上のように、シアンドットとブラックドットとの副走査方向の位置関係に応じて、パターンの記録濃度が変動する。すなわち、ブラックノズル列とシアンノズル列との間に記録位置ずれがある場合は、そのずれ量に応じて、測定される記録濃度が最も高いパターンが変化する。このため、５つのパターンの中から最も記録濃度の高いパターンを、センサ１０９を用いて選択することにより、そのときの記録位置ずれを検出することができる。そして、この検出した記録位置ずれに基づいて、副走査方向の記録位置のずれを調整するための調整値を取得することができる。」
キ．上記ウ．乃至カ．より、以下の事項が把握できる。なお、下記説明図４は、図４の一部を図３に合成したものである。
（キ−１）（説明図４）
　説明図４は、図４に示されたテストパターンのうち、パターン４００を、甲第２号証の図３に示されたブラックノズル列３０２のノズルｎｂ３〜ｎｂ１０と、シアンノズル列３０３のノズルｎｃ１〜ｎｃ８とは、同じ画素に対応しており、これらノズル列のうち、ブラックノズル列３０２のノズルｎｂ５、ｎｂ７、ｎｂ９と、シアンノズル列３０３のノズルｎｃ２、ｎｃ４、ｎｃ６とを用いて記録した場合を示す図である。具体的には、ノズルｎｃ２から吐出されたパターン４００１と、ノズルｎｃ２から吐出されたパターン４００１と、ノズルｎｂ５から吐出されたパターン４００２と、ノズルｎｃ４から吐出されたパターン４００３と、ノズルｎｂ７から吐出されたパターン４００４と、ノズルｎｃ６から吐出されたパターン４００５と、ノズルｎｂ９から吐出されたパターン４００６と、によって、パターン４００が記録される。
（キ−２）ブラックノズル列３０２のノズルｎｂ５で記録されるパターン４００２の副走査方向Ｙの上流側（一方側）には、ブラックノズル列３０２のノズルｎｂ９でパターン４００６が記録される。すなわち、副走査方向Ｙにおいて、パターン４００６と、パターン４００２との間には、ノズルｎｂ６、ｎｂ７、ｎｂ８に対応する間隔があいている。
（キ−３）シアンノズル列３０３のノズルｎｃ６で記録されるパターン４００５は、副走査方向Ｙにおいて、パターン４００２とパターン４００６との間に記録されるパターンである。
（キ−４）シアンノズル列３０３のノズルｎｃ２で記録されるパターン４０１は、ブラックノズル列３０２のノズルｎｂ５で記録されるパターン４００２よりも、副走査方向Ｙにおいて下流側（他方側）に記録されるパターンである。
（キ−５）上記オ．に示されているように、パターン４００２、パターン４００６、パターン４００５、及びパターン４００１は、副走査方向Ｙに並んで記録されるパターンである。
（キ−６）説明図４に示されているように、パターン４００の記録に際しては、パターン４００６の記録に用いられるブラックノズル列３０２のノズルｎｂ９よりも副走査方向Ｙにおいて上流側（一方側）に隣接する位置のシアンノズル列３０３のノズルｎｃ８を用いたパターンは、記録されない。
（キ−７）説明図４に示すように、パターン４００の記録に際しては、パターン４００１の記録に用いられるシアンノズル列３０３のノズルｎｃ２よりも副走査方向Ｙにおいて下流側（他方側）に隣接する位置のブラックノズル列３０２のノズルｎｂ３を用いたパターンは、記録されない。
（キ−８）ブラックノズル列３０２のノズルｎｂ５で記録されるパターン４００２と、ブラックノズル列３０２のノズルｎｂ７で記録されるパターン４００４（Ｎ個のパターン）が、副走査方向Ｙにおいて並んでいる。副走査方向Ｙにおけるパターン４００２とパターン４００４との間には、ノズルｎｂ６に対応する間隔があいている。
（キ−９）パターン４００２とパターン４００４とのうち、副走査方向Ｙにおいて最も上流側（一方側）のパターンであるパターン４００４の記録に用いられるノズルｎｂ７よりも、さらに上流側（一方側）のノズルｎｂ９によって、パターン４００６が記録される。副走査方向Ｙにおけるパターン４００６と、パターン４００４との間には、ノズルｎｂ８に対応する間隔があいている。
（キ−１０）シアンノズル列３０３のノズルｎｃ４で記録されるパターン４００３と、シアンノズル列３０３のノズルｎｃ６で記録されるパターン４００５と（Ｎこのパターン）が、副走査方向Ｙにおいて並んでいる。副走査方向Ｙにおけるパターン４００３とパターン４００５との間には、ノズルｎｃ５に対応する間隔があいている。パターン４００３は、副走査方向Ｙにおいてパターン４００２とパターン４００４との間のパターンである。パターン４００５は、パターン４００２とパターン４００４のうち、副走査方向Ｙにおいて最も上流側（一方側）のパターンであるパターン４００４と、パターン４００６との間のパターンである。
（キ−１１）パターン４００２とパターン４００４とのうち、副走査方向Ｙにおいて最も下流側（他方側）のパターンは、パターン４００２である。パターン４００１は、このパターン４００２の記録に用いられるノズルｎｂ５よりも、副走査方向Ｙにおいてさらに下流側（他方側）に位置するシアンノズル列３０３のノズルｎｃ２で記録されるパターンである。
（キ−１２）説明図４に示すように、パターン４００の記録に際しては、パターン４００６の記録に用いられるブラックノズル列３０２のノズル３０２のノズルｎｂ９よりも副走査方向Ｙにおいて上流側（一方側）に隣接する位置のシアンノズル列３０３のノズルｎｃ８を用いたパターンは、記録されない。
（キ−１３）説明図４に示すように、パターン４００の記録に際しては、パターン４００１の記録に用いられるシアンノズル列３０３のノズルｎｃ２よりも副走査方向Ｙにおいて下流側（他方側）に隣接する位置のブラックノズル列３０２のノズルｎｂ３を用いたパターンは、記録されない。
　
　これらの記載を総合すると、刊行物２（甲第２号証）には、次の発明（以下、「引用発明２」という。）が記載されているものと認められる。
「副走査方向Ｙに６００ｄｐｉピッチで配列されたノズルｎｂ１〜ｎｂ２０を有するブラックノズル列３０２と、
　副走査方向Ｙに６００ｄｐｉピッチで配列されたノズルｎｃ１〜ｎｃ８を有し、走査方向Ｘにおいてブラックノズル列３０２と配列されたシアンノズル列３０３と、
　ブラックノズル列３０２とシアンノズル列３０３が記録ヘッドの走査方向に配列されている記録ヘッド１１２を制御する記録制御部１０６と、を備え、
　ノズルｎｂ３〜ｎｂ１０は、ノズルｎｃ１〜ｎｃ８と同じ画素に対応しており、
　記録制御部１０６は、Ｎを２以上の自然数として、
　ノズルｎｂ５とノズルｎｂ７から吐出されるインクによって形成され、副走査方向Ｙに間隔をあけて並ぶパターン４００２とパターン４００４と、
　副走査方向Ｙにおいて最も上流側のパターン４００４よりも上流側の画素に対応するノズルｎｂ９から吐出されるインクによって形成され、最も上流側のパターン４００４と間隔をあけて並ぶパターン４００６と、
　副走査方向Ｙに隣接するパターン４００２とパターン４００４の間の画素、及び、副走査方向Ｙにおいて最も上流側のパターン４００４とパターン４００６との間の画素に対応するノズルｎｃ４とノズルｎｃ６から吐出されるインクによって形成され、副走査方向Ｙに間隔をあけて並ぶパターン４００３とパターン４００５と、
　副走査方向Ｙにおいて最も下流側のパターン４００２よりも下流側の画素に対応するノズルｎｃ２から吐出されるインクによって形成されるパターン４００１と、を有し
　パターン４００２とパターン４００４とパターン４００６とパターン４００３とパターン４００５とパターン４００１とが副走査方向Ｙに並んだテストパターンを印刷させるように記録ヘッド１１２を制御し、
　記録制御部１０６は、テストパターンの印刷において、
　パターン４００６に対して副走査方向Ｙの上流側に隣接する画素に対応するノズルｎｃ８からインクを吐出させず、
　パターン４００１に対して副走査方向Ｙの下流側に隣接する画素に対応するノズルｎｂ３からインクを吐出させない、ように記録ヘッド１１２を制御するインクジェット記録装置。」
　
２．本件特許発明８について
（１）対比　
　本件特許発明８と引用発明１とを対比すると、
ア．後者の「インクジェット記録装置」は、前者の「インクジェットプリンタ」に相当する。
イ．前者の「第１方向」には、所定のノズル間隔で複数の第１ノズルが配列されているから、後者の所定のノズルピッチでノズルＡｎ０〜Ａｎ１６が配列された「ノズル列方向」は、前者の「第１方向」に相当する。
ウ．後者の「所定のノズルピッチ」及び「ノズルＡｎ０〜Ａｎ１６を含む複数のノズルＮ」は、それぞれ前者の「所定のノズル間隔」及び「複数の第１ノズル」に相当する。
エ．上記イ．及びウ．より、後者の「記録用紙Ｐの搬送方向Ｘと交差するノズル列方向に所定のノズルピッチで配列されノズルＡｎ０〜Ａｎ１６を含む複数のノズルＮを有するチップＡ」は、前者の「第１方向に所定のノズル間隔で配列された複数の第１ノズルを有する第１ヘッドユニット」に相当する。
オ．後者の「このノズル列方向に所定のノズルピッチで配列されノズルＢｎ０〜Ｂｎ２０を含む複数のノズルＮ」及び「ノズル列方向と交差する記録用紙Ｐの搬送方向Ｘ」は、前者の「第１方向に前記ノズル間隔で配列された複数の第２ノズル」及び「第１方向と交差する第２方向」に相当する。
カ．上記オ．より、後者の「このノズル列方向に所定のノズルピッチで配列されノズルＢｎ０〜Ｂｎ２０を含む複数のノズルＮを有し、ノズル列方向と交差する記録用紙Ｐの搬送方向ＸにおいてチップＡとずれた位置に配置されたチップＢ」は、前者の「前記第１方向に前記ノズル間隔で配列された複数の第２ノズルを有し、前記第１方向と交差する第２方向において前記第１ヘッドユニットとずれた位置に配置された第２ヘッドユニット」に相当する。
キ．後者の「ＣＰＵ１０００」は、各記録ヘッド４０を構成するチップＡ及びＢから吐出されるインク滴によって形成されるドットの配置を制御するための画像処理機能を有するものであるから、後者の「ＣＰＵ１０００」は、前者の「第１ヘッドユニット及び前記第２ヘッドユニットを制御する制御手段」に相当する。
ク．後者の「チップＡにおけるノズルＡｎ３〜Ａｎ１６は、隣接するチップＢのノズルＢｎ３〜Ｂｎ１６と同じ画素に対応して」いる点は、前者の「少なくとも２つの第１ノズルは、第２ノズルと同じ画素に対応して」いることに相当する。
ケ．後者の「パターンＡ１／Ａ２／Ａ３」、「パターンＢ１／Ｂ２／Ｂ３」、「パターンＣ１／Ｃ２／Ｃ３」及び「パターンＤ１／Ｄ２／Ｄ３」は、「チップＡのノズルＡｎ１２〜Ａｎ１４／Ａｎ１２〜Ａｎ１３／Ａｎ１２から吐出されるインクによって形成されるパターンＡ１／Ａ２／Ａ３と、ノズル配列方向においてパターンＡ１／Ａ２／Ａ３よりも上側の画素に対応するチップＡのノズルＡｎ４〜Ａｎ６／Ａｎ４〜Ａｎ５／Ａｎ４から吐出されるインクによって形成され、画像要素Ａと間隔をあけて並ぶパターンＢ１／Ｂ２／Ｂ３と、ノズル配列方向においてパターンＡ１／Ａ２／Ａ３とパターンＢ１／Ｂ２／Ｂ３との間の画素に対応するチップＢのノズルＢｎ９〜Ｂｎ１１／Ｂｎ９〜Ｂｎ１０／Ｂｎ９から吐出されたインクによって形成されたパターンＣ１／Ｃ２／Ｃ３と、ノズル配列方向において、パターンＡ１／Ａ２／Ａ３よりも下側の画素に対応するチップＢのノズルＢｎ１６〜Ｂｎ１８／Ｂｎ１６〜Ｂｎ１７／Ｂｎ１６から吐出されるインクによって形成されるパターンＤ１／Ｄ２／Ｄ３」との関係を有するから、後者の「パターンＡ１／Ａ２／Ａ３」、「パターンＢ１／Ｂ２／Ｂ３」、「パターンＣ１／Ｃ２／Ｃ３」及び「パターンＤ１／Ｄ２／Ｄ３」は、それぞれ、前者の「第１ノズルから吐出されるインクによって形成される画像要素Ａ」、「前記第１方向において前記画像要素Ａよりも一方側の画素に対応する前記第１ノズルから吐出されるインクによって形成され、前記画像要素Ａと間隔をあけて並ぶ画像要素Ｂ」、「前記第１方向において前記画像要素Ａと前記画像要素Ｂとの間の画素に対応する前記第２ノズルから吐出されたインクによって形成された画像要素Ｃ」、「前記第１方向において前記画像要素Ａよりも他方側の画素に対応する前記第２ノズルから吐出されるインクによって形成される画像要素Ｄ」に相当する。
コ．後者のインクジェット記録装置の「パターンＡ１／Ａ２／Ａ３とパターンＢ１／Ｂ２／Ｂ３とパターンＣ１／Ｃ２／Ｃ３とパターンＤ１／Ｄ２／Ｄ３とが、ノズル列方向に並んだテストパターンを印刷させるように各記録ヘッド４０を制御」することは、前者の「前記画像要素Ａと前記画像要素Ｂと前記画像要素Ｃと前記画像要素Ｄとが前記第１方向に並んだ第１検査用画像を印刷させるように前記第１ヘッドユニット及び前記第２ヘッドユニットを制御」することに相当する。
　
　したがって、両者は、
「第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　少なくとも２つの第１ノズルは、第２ノズルと同じ画素に対応しており、
　前記制御手段は、
　前記第１ノズルから吐出されるインクによって形成される画像要素Ａと、
　前記第１方向において前記画像要素Ａよりも一方側の画素に対応する前記第１ノズルから吐出されるインクによって形成され、前記画像要素Ａと間隔をあけて並ぶ画像要素Ｂと、
　前記第１方向において前記画像要素Ａと前記画像要素Ｂとの間の画素に対応する前記第２ノズルから吐出されたインクによって形成された画像要素Ｃと、
　前記第１方向において前記画像要素Ａよりも他方側の画素に対応する前記第２ノズルから吐出されるインクによって形成される画像要素Ｄと、
　を有し、前記画像要素Ａと前記画像要素Ｂと前記画像要素Ｃと前記画像要素Ｄとが前記第１方向に並んだ第１検査用画像を印刷させるように前記第１ヘッドユニット及び前記第２ヘッドユニットを制御するインクジェットプリンタ。」
の点で一致し、以下の点で相違する。
　
［相違点１］
　本件特許発明８が、「第２ヘッドユニットが、前記画像要素Ｂに対して前記第１方向の前記一方側に隣接する画素に対応する前記第２ノズルを有さず、前記第１ヘッドユニットが、前記画像要素Ｄに対して前記第１方向の前記他方側に隣接する画素に対応する前記第１ノズルを有さない」ものであるのに対し、引用発明１は、ノズルＡｎ０〜Ａｎ１６を含む複数のノズルＮを有するチップＡのノズルＡｎ１２〜Ａｎ１４／Ａｎ１２〜Ａｎ１３／Ａｎ１２から吐出されるインクによってパターンＡ１／Ａ２／Ａ３を形成し、ノズルＢｎ０〜Ｂｎ２０を含む複数のノズルＮを有するチップＢのノズルＢｎ９〜Ｂｎ１１／Ｂｎ９〜Ｂｎ１０／Ｂｎ９から吐出されたインクによってパターンＣ１／Ｃ２／Ｃ３を形成するものである点。
　
（２）判断
　上記相違点１について、以下検討する。
　引用発明１において、パターンＣ１／Ｃ２／Ｃ３及びパターンＤ１／Ｄ２／Ｄ３を形成するに際しては、チップＢのノズルＢｎ０〜Ｂｎ４からはインクを吐出しないのであるから、当該ノズルＢｎ０〜Ｂｎ４を設けないものとすることは、当業者が適宜なし得る程度のことである。
　また、パターンＡ１／Ａ２／Ａ３及びパターンＢ１／Ｂ２／Ｂ３を形成するに際しては、チップＡのノズルＡｎ１５及びＡｎ１６からはインクを吐出しないのであるから、チップＡのノズルＡｎ１６より他方側にノズルを設けないものとすることは、当業者が適宜なし得る程度のことである。
　そうすると、上記相違点１に係る発明特定事項は、当業者が容易に想到し得るものである。
　よって、本件特許発明８は、引用発明１に基づいて、当業者が容易に想到し得るものである。
　
　そして、本件特許発明８の発明特定事項によって奏される効果も、引用発明１から、当業者が予測しうる範囲内のものである。　
　
　よって、本件特許発明８は、引用発明１に基づいて、当業者が容易に発明をすることができたものであるから、特許法第２９条第２項の規定により特許を受けることができない。
　
３．本件特許発明９について
３−１．甲第１号証を主引例とした場合
（１）対比　
　本件特許発明９と引用発明１とを対比すると、
ア．後者の「各記録ヘッド４０」は、ブラックインク、シアンインク、マゼンタインク、およびイエローインク用と、色毎に設けられていて、各記録ヘッド４０を構成するチップＡ及びＢから吐出されるインク滴は同じ色であることは明らかであるから、前者の「第１ノズル」に相当するチップＡのノズルＡｎ０〜Ａｎ１６を含む複数のノズルＮから吐出されるインクの色と、前者の「第２ノズル」に相当するチップＢのノズルＢｎ０〜Ｂｎ２０を含む複数のノズルＮから吐出されるインクの色とは同じ色であるといえる。
イ．後者の「パターンＡ１／Ａ２／Ａ３」、「パターンＢ１／Ｂ２／Ｂ３」、「パターンＣ１／Ｃ２／Ｃ３」及び「パターンＤ１／Ｄ２／Ｄ３」は、「チップＡのノズルＡｎ１２〜Ａｎ１４／Ａｎ１２〜Ａｎ１３／Ａｎ１２から吐出されるインクによって形成されるパターンＡ１／Ａ２／Ａ３と、ノズル配列方向においてパターンＡ１／Ａ２／Ａ３よりも上側の画素に対応するチップＡのノズルＡｎ４〜Ａｎ６／Ａｎ４〜Ａｎ５／Ａｎ４から吐出されるインクによって形成され、画像要素Ａと間隔をあけて並ぶパターンＢ１／Ｂ２／Ｂ３と、ノズル配列方向においてパターンＡ１／Ａ２／Ａ３とパターンＢ１／Ｂ２／Ｂ３との間の画素に対応するチップＢのノズルＢｎ９〜Ｂｎ１１／Ｂｎ９〜Ｂｎ１０／Ｂｎ９から吐出されたインクによって形成されたパターンＣ１／Ｃ２／Ｃ３と、ノズル配列方向において、パターンＡ１／Ａ２／Ａ３よりも下側の画素に対応するチップＢのノズルＢｎ１６〜Ｂｎ１８／Ｂｎ１６〜Ｂｎ１７／Ｂｎ１６から吐出されるインクによって形成されるパターンＤ１／Ｄ２／Ｄ３」との関係を有するから、後者の「パターンＤ１／Ｄ２／Ｄ３」は、それぞれ、前者の「前記第１方向において、前記第２ノズルから吐出されるインクによって形成され、前記第１方向において、前記画像要素Ａよりも他方側の画素に対応する前記第２ノズルから吐出されるインクによって形成される画像要素Ｄ」に相当する。
ウ．後者のインクジェット記録装置は、「ＣＰＵ１０００は、テストパターンの印刷において、パターンＢ１／Ｂ２／Ｂ３に対してノズル列方向の上側に隣接する画素に対応するチップＢのノズルＢｎ３からパターンを記録」しないものであるから、前者の「制御装置は、前記第１検査用画像の印刷において、画像要素Ｂに対して前記第１方向の前記一方側に隣接する画素に対応する前記第２ノズルからインクを吐出させ」ないことに相当する。
エ．後者のインクジェット記録装置は、「ＣＰＵ１０００は、テストパターンの印刷において」、「パターンＤ１／Ｄ２／Ｄ３に対してノズル列方向の下側に隣接する画素に対応するチップＡのノズルＮからパターンを記録」しないものであるから、前者の「制御装置は、前記第１検査用画像の印刷において」、「前記画像要素Ｄに対して前記第１方向の前記他方側に隣接する画素に対応する前記第１ノズルからインクを吐出させない」ことに相当する。
　
　したがって、両者は、
「第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　前記複数の第１ノズルから吐出されるインクの色と、前記複数の第２ノズルから吐出されるインクの色とが同じ色であり、
　少なくとも２つの第１ノズルは、第２ノズルと同じ画素に対応しており、
　前記制御手段は、
　前記第１ノズルから吐出されるインクによって形成される画像要素Ａと、
　前記第１方向において前記画像要素Ａよりも一方側の画素に対応する前記第１ノズルから吐出されるインクによって形成され、前記画像要素Ａと間隔をあけて並ぶ画像要素Ｂと、
　前記第１方向において前記画像要素Ａと前記画像要素Ｂとの間の画素に対応する前記第２ノズルから吐出されたインクによって形成された画像要素Ｃと、
　前記第１方向において、前記第２ノズルから吐出されるインクによって形成され、前記第１方向において、前記画像要素Ａよりも他方側の画素に対応する前記第２ノズルから吐出されるインクによって形成される画像要素Ｄと、
　を有し、前記画像要素Ａと前記画像要素Ｂと前記画像要素Ｃと前記画像要素Ｄとが前記第１方向に並んだ第１検査用画像を印刷させるように前記第１ヘッドユニット及び前記第２ヘッドユニットを制御し、
　前記制御装置は、前記第１検査用画像の印刷において、
　前記画像要素Ｂに対して前記第１方向の前記一方側に隣接する画素に対応する前記第２ノズルからインクを吐出させず、
　前記画像要素Ｄに対して前記第１方向の前記他方側に隣接する画素に対応する前記第１ノズルからインクを吐出させない、
　ように前記第１ヘッドユニット及び前記第２ヘッドユニットを制御することを特徴とするインクジェットプリンタ。」
の点で一致し、以下の点で相違する。
　
［相違点２］
　第１検査用画像が、本件特許発明９では、「前記画像要素Ｂの前記第１方向の長さが前記画像要素Ａの前記第１方向の長さよりも長い」ものであるのに対し、引用発明１は、パターンＡ１／Ａ２／Ａ３と、Ｂ１／Ｂ２／Ｂ３とからなる同じ長さのものである点。
［相違点３］
　本件特許発明９が、「画像要素Ａの第１方向の最も一方側のドットを形成する第１ノズルと、画像要素Ｃの第１方向の最も他方側のドットを形成する第２ノズルと同じ画素に対応する第１ノズルとが前記第１方向に互いに隣接し、画像要素Ａの第１方向の最も他方側のドットを形成する第１ノズルと、画像要素Ｄの第１方向の最も一方側のドットを形成する第２ノズルと同じ画素に対応する第１ノズルとが前記第１方向に互いに隣接し、画像要素Ｂの第１方向の最も他方側のドットを形成する第１ノズルと、画像要素Ｃの第１方向の最も一方側のドットを形成する第２ノズルと同じ画素に対応する第１ノズルとが前記第１方向に互いに隣接」するものであるのに対し、引用発明１は、ノズルＡｎ７、Ｂｎ７、Ａｎ１５及びＢｎ１５から吐出されるインクはパターンを構成するものではなく、各パターンの間には、少なくとも１画素分の間隔が生じるものである点。
（２）判断
ア．［相違点２］について
　引用発明２のブラックノズル列３０２から吐出されるインクによって形成されるパターン４００２、４００４及び４００６は間隔をあけて並ぶパターンである。同様に、シアンノズル列３０３から吐出されるインクによって形成されるパターン４００１、４００３及び４００５も間隔をあけて並ぶパターンである。
　してみると、引用発明２は、同色のパターンが互いに間隔をあけて並んでいるものであって、連続して並ぶ同色のパターンは示されていないから、上記相違点２に係る発明特定事項は、引用発明２には、示されていない。
　また、引用発明１の「チップＡのノズルＡｎ１２〜Ａｎ１４／Ａｎ１２〜Ａｎ１３／Ａｎ１２から吐出されるインクによって形成されるパターンＡ１／Ａ２／Ａ３」と、「パターンＡ１／Ａ２／Ａ３よりも上側の画素に対応するチップＡのノズルＡｎ４〜Ａｎ６／Ａｎ４〜Ａｎ５／Ａｎ４から吐出されるインクによって形成され、画像要素Ａと間隔をあけて並ぶパターンＢ１／Ｂ２／Ｂ３」とは、それぞれ３滴／２滴／１滴という、同数のインク滴によって形成されるものであって、刊行物１には、例えば、パターンＡ１とパターンＢ１とでインク滴数を異なるものとすることの記載も示唆もない。
　そうすると、引用発明１及び引用発明２のいずれにおいても、上記相違点２に係る発明特定事項とすることが、設計的事項といえる理由もない。
イ．［相違点３］について
　引用発明２の「パターン４００６」に対して副走査方向Ｙの上流側に隣接する画素に対応するノズルｎｃ８からインクを吐出しないから、本件特許発明９の「画像要素Ｂ」と引用発明２の「パターン４００６」とは、第１方向の前記一方側に隣接する画素に対応する前記第２ノズルからインクを吐出させないとの概念で共通する。
　また引用発明２の「パターン４００１」に対して副走査方向Ｙの下流側に隣接する画素に対応するノズルｎｂ３からインクを吐出しないから、本件特許発明９の「画像要素Ｄ」と引用発明２の「パターン４００１」とは、第１方向の前記他方側に隣接する画素に対応する前記第１ノズルからインクを吐出させないとの概念で共通する。
　しかし、引用発明２は、パターン４００２とパターン４００４とパターン４００６とパターン４００３とパターン４００５とパターン４００１とが副走査方向Ｙに並んだテストパターンであるから、引用発明２には上記相違点３に係る発明特定事項の「画像要素Ａの第１方向の最も一方側のドットを形成する第１ノズルと、画像要素Ｃの第１方向の最も他方側のドットを形成する第２ノズルと同じ画素に対応する第１ノズルとが前記第１方向に互いに隣接し」との点は示されていないし、また、引用発明１及び引用発明２のいずれにおいても、上記相違点３に係る発明特定事項とすることが、設計的事項といえる理由もない。
　したがって、本件特許発明９は、引用発明１及び引用発明２より、当業者が容易に想到し得るものとはいえない。
３−２．甲第２号証を主引例とした場合
（１）対比
　本件特許発明９と引用発明２とを対比すると、
ア．後者の「ブラックノズル列３０２」は、副走査方向Ｙに６００ｄｐｉピッチで配列されたノズルｎｂ１〜ｎｂ２０を有するものであるから、前者の「第１方向に所定のノズル間隔で配列された複数の第１ノズルを有する第１ヘッドユニット」に相当する。
イ．後者の「シアンノズル列３０３」は、副走査方向Ｙに６００ｄｐｉピッチで配列されたノズルｎｃ１〜ｎｃ８を有し、走査方向Ｘにおいてブラックノズル列３０２と配列されたものであって、走査方向Ｘにおいて配列されたとは、第１方向と交差する第２方向においてずれた位置に配置されたといえるから、後者の「シアンノズル列３０３」は、前者の「前記第１方向に前記ノズル間隔で配列された複数の第２ノズルを有し、前記第１方向と交差する第２方向において前記第１ヘッドユニットとずれた位置に配置された第２ヘッドユニット」に相当する。
ウ．後者の「ブラックノズル列３０２とシアンノズル列３０３が記録ヘッドの走査方向に配列されている記録ヘッド１１２を制御する記録制御部１０６」は、前者の「前記第１ヘッドユニット及び前記第２ヘッドユニットを制御する制御手段」に相当する。
エ．後者の「記録ヘッド１１２」のノズルｎｂ３〜ｎｂ１０は、ノズルｎｃ１〜ｎｃ８と同じ画素に対応しているから、前者の「第１ヘッドユニット及び第２ヘッドユニット」と後者の「記録ヘッド１１２」とは、「少なくとも２つの第１ノズルは、第２ノズルと同じ画素に対応しており」との概念で共通する。
オ．後者の「パターン４００２」、「パターン４００６」 、「パターン４００５」及び「パターン４００１」は、「副走査方向Ｙに隣接するパターン４００２とパターン４００４の間の画素、及び、副走査方向Ｙにおいて最も上流側のパターン４００４とパターン４００６との間の画素に対応するノズルｎｃ４とノズルｎｃ６から吐出されるインクによって形成され、副走査方向Ｙに間隔をあけて並ぶパターン４００３とパターン４００５と、副走査方向Ｙにおいて最も下流側のパターン４００２よりも下流側の画素に対応するノズルｎｃ２から吐出されるインクによって形成されるパターン４００１」との関係を有するから、後者の「パターン４００２」、「パターン４００６」 、「パターン４００５」及び「パターン４００１」は、それぞれ、前者の「第１ノズルから吐出されるインクによって形成される画像要素Ａ」、「第１方向において前記画像要素Ａよりも一方側の画素に対応する前記第１ノズルから吐出されるインクによって形成され、前記画像要素Ａと間隔をあけて並ぶ画像要素Ｂ」、「第１方向において前記画像要素Ａと前記画像要素Ｂとの間の画素に対応する前記第２ノズルから吐出されたインクによって形成された画像要素Ｃ」及び「記第１方向において、前記第２ノズルから吐出されるインクによって形成され、前記第１方向において、前記画像要素Ａよりも他方側の画素に対応する前記第２ノズルから吐出されるインクによって形成される画像要素Ｄ」に相当し、「画像要素Ａの第１方向の最も他方側のドットを形成する第１ノズルと、画像要素Ｄの第１方向の最も一方側のドットを形成する第２ノズルと同じ画素に対応する第１ノズルとが前記第１方向に互いに隣接し、画像要素Ｂの第１方向の最も他方側のドットを形成する第１ノズルと、画像要素Ｃの第１方向の最も一方側のドットを形成する第２ノズルと同じ画素に対応する第１ノズルとが前記第１方向に互いに隣接し」との配置関係を有すると認める。
カ．後者の「テストパターン」は、「パターン４００２とパターン４００４とパターン４００６とパターン４００３とパターン４００５とパターン４００１とが副走査方向Ｙに並んだ」ものであるから、前者の「前記画像要素Ａと前記画像要素Ｂと前記画像要素Ｃと前記画像要素Ｄとが前記第１方向に並」んだ「第１検査画像」に相当する。
キ．後者の「記録制御部１０６」は、テストパターンを印刷させるように記録ヘッド１１２を制御するものであるから、前者の「制御手段」と後者の「記録制御部１０６」とは、「画像要素Ａと前記画像要素Ｂと前記画像要素Ｃと前記画像要素Ｄとが前記第１方向に並んだ第１検査用画像を印刷させるように前記第１ヘッドユニット及び前記第２ヘッドユニットを制御」するものとの概念で共通する。
ク．後者の「パターン４００６」に対して副走査方向Ｙの上流側に隣接する画素に対応するノズルｎｃ８からインクを吐出しないから、前者の「画像要素Ｂ」と後者の「パターン４００６」とは、第１方向の前記一方側に隣接する画素に対応する前記第２ノズルからインクを吐出させないとの概念で共通する。
ケ．後者の「パターン４００１」に対して副走査方向Ｙの下流側に隣接する画素に対応するノズルｎｂ３からインクを吐出しないから、前者の「画像要素Ｄ」と後者の「パターン４００１」とは、第１方向の前記他方側に隣接する画素に対応する前記第１ノズルからインクを吐出させないとの概念で共通する。
　したがって、両者は、
「第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　少なくとも２つの第１ノズルは、第２ノズルと同じ画素に対応しており、
　前記制御手段は、
　前記第１ノズルから吐出されるインクによって形成される画像要素Ａと、
　前記第１方向において前記画像要素Ａよりも一方側の画素に対応する前記第１ノズルから吐出されるインクによって形成され、前記画像要素Ａと間隔をあけて並ぶ画像要素Ｂと、
　前記第１方向において前記画像要素Ａと前記画像要素Ｂとの間の画素に対応する前記第２ノズルから吐出されたインクによって形成された画像要素Ｃと、
　前記第１方向において、前記第２ノズルから吐出されるインクによって形成され、前記第１方向において、前記画像要素Ａよりも他方側の画素に対応する前記第２ノズルから吐出されるインクによって形成される画像要素Ｄと、
　を有し、前記画像要素Ａと前記画像要素Ｂと前記画像要素Ｃと前記画像要素Ｄとが前記第１方向に並び、前記第１検査用画像を印刷させるように前記第１ヘッドユニット及び前記第２ヘッドユニットを制御し、
　画像要素Ａの第１方向の最も他方側のドットを形成する第１ノズルと、画像要素Ｄの第１方向の最も一方側のドットを形成する第２ノズルと同じ画素に対応する第１ノズルとが前記第１方向に互いに隣接し、
　画像要素Ｂの第１方向の最も他方側のドットを形成する第１ノズルと、画像要素Ｃの第１方向の最も一方側のドットを形成する第２ノズルと同じ画素に対応する第１ノズルとが前記第１方向に互いに隣接し、
　前記制御装置は、前記第１検査用画像の印刷において、
　前記画像要素Ｂに対して前記第１方向の前記一方側に隣接する画素に対応する前記第２ノズルからインクを吐出させず、
　前記画像要素Ｄに対して前記第１方向の前記他方側に隣接する画素に対応する前記第１ノズルからインクを吐出させない、
　ように前記第１ヘッドユニット及び前記第２ヘッドユニットを制御することを特徴とするインクジェットプリンタ。」
の点で一致し、以下の点で相違する。
［相違点４］
　本件特許発明９は、「前記複数の第１ノズルから吐出されるインクの色と、前記複数の第２ノズルから吐出されるインクの色とが同じ色であ」るのに対し、引用発明２は、ブラックノズル列とシアンノズル列からなる異なる色である点。
［相違点５］
　本件特許発明９は、「画像要素Ｂの前記第１方向の長さが前記画像要素Ａの前記第１方向の長さよりも長い」ものであるのに対し、引用発明２は、それぞれ１つのノズルから吐出される同じ長さのものである点。
［相違点６］
　本件特許発明９は、「画像要素Ａの第１方向の最も一方側のドットを形成する第１ノズルと、画像要素Ｃの第１方向の最も他方側のドットを形成する第２ノズルと同じ画素に対応する第１ノズルとが前記第１方向に互いに隣接」するものであるのに対し、引用発明２は、パターン４００２とパターン４００４とパターン４００６とパターン４００３とパターン４００５とパターン４００１とが副走査方向Ｙに並んだテストパターンである点。
（２）判断
ア．［相違点４］について
　引用発明１の記録ヘッド４０を構成するチップＡ及びＢは、各色毎に設けられたものであるから、同じ色を吐出する記録ヘッドといえる。
　そうすると、上記相違点４に係る発明特定事項は、引用発明１に示されているといえる。
　ここで、引用発明２は、「ノズル配列長さの短い、シアンなどのカラーインクを吐出するノズル列と、ノズル配列長さがそれより長い、ブラックインクを吐出するブラックノズル列と、を設けた記録ヘッドを用いる記録装置」（１．（２）ア．【０００３】参照。）が前提の発明であって、「ブラックインクとカラーインクの両方を用いる画像を記録するときに、長いノズル配列のブラックノズル列では一部のノズルのみを使用し、かつ、記録媒体上の同一領域に対してブラックインクとカラーインクとを異なる走査で吐出するようにする。これにより、同一領域に対してブラックインクとカラーインクは、約１回の走査分の定着時間をおいて付与されることになることから、これらインク相互の滲みを抑えることができる。また、ブラックインクのみを用いる画像を記録する場合には、ノズル配列長さの長いブラックノズル列のみを用いることにより、記録ヘッドの１走査あたりの記録領域を大きくでき、ブラック単色画像の高速記録が実現できる。」（１．（２）ア．【０００４】参照。）という作用効果を奏するものである。
　そして、引用発明２に、引用発明１の記録ヘッド４０を構成するチップＡ及びＢを同じ色を吐出することを採用し、ブラックノズル列３０２とシアンノズル列３０３とを同色とすると、ブラックインクとカラーインクとのインク相互の滲みの問題が生じないこととなり、ノズル列を２列設ける必要性もなくなる。そうすると、引用発明２が有していた課題自体が生起し得ないこととなり、また、その課題を解決するための手段も不要ということとなってしまう。
　してみると、引用発明２に、引用発明１の同じ色を吐出することを採用することには、阻害要因があるものといえるから、上記相違点４に係る発明特定事項は、当業者が容易に想到し得るものではない。
イ．［相違点５］について
　相違点５は、上記３−１．（１）の［相違点２］と実質的に同じ相違点である。
　そうすると、上記３−１．（２）ア．において検討したように、上記相違点５に係る発明特定事項は引用発明１にも示されていないし、引用発明１及び引用発明２において、設計的事項とする理由もないことは明らかである。
ウ．［相違点６］について
　相違点６は、上記３−１．（１）の［相違点３］と実質的に同じ相違点である。
　そうすると、上記３−１．（２）イ．において検討したように、上記相違点６に係る発明特定事項は引用発明１にも示されていないし、引用発明１及び引用発明２において、設計的事項とする理由もないことは明らかである。
　したがって、本件特許発明９は、引用発明１及び引用発明２より、当業者が容易に想到し得るものとはいえない。
３−３．特許異議申立人の主張について
　特許異議申立人は、上記相違点２につき、複数チップにおけるノズル列のうち、どのノズルを用いてテストパターンを記録するかは、そのオーバーラップ部分に対応するノズルの位置関係及び濃度を測定する測定エリアに応じて当業者が適宜採用し得る設計的事項であり、測定エリアを例えば説明図１より上方（一方側）に広げた場合、相応して画素要素Ｂのうちの一方側のドットを増やすことは当業者が適宜採用し得る設計的事項である、旨主張する。（令和１年７月２５日付け意見書６頁１〜８行）
　
　しかし、引用発明１のチップＡにより形成されるパターンＡ１／Ａ２／Ａ３と、チップＢにより形成されるパターンＢ１／Ｂ２／Ｂ３とは、同数のインク滴によって形成されるものであって、上記のとおり、刊行物１に、インク滴数を異なるものとする記載も示唆もないから、異議申立人が主張するように、画素要素Ｂのうちの一方側のドットを増やすことを、当業者が適宜採用し得る設計的事項とすることはできない。
　よって、異議申立人の主張は採用し得ない。
　
４．本件特許発明１１について
４−１．甲第１号証を主引例とした場合
（１）対比　
　本件特許発明１１と引用発明１とを対比すると、
ア．後者の「インクジェット記録装置」は、前者の「インクジェットプリンタ」に相当する。
イ．前者の「第１方向」には、所定のノズル間隔で複数の第１ノズルが配列されているから、後者の所定のノズルピッチでノズルＡｎ０〜Ａｎ１６が配列された「ノズル列方向」は、前者の「第１方向」に相当する。
ウ．後者の「所定のノズルピッチ」及び「ノズルＡｎ０〜Ａｎ１６を含む複数のノズルＮ」は、それぞれ前者の「所定のノズル間隔」及び「複数の第１ノズル」に相当する。
エ．上記イ．及びウ．より、後者の「記録用紙Ｐの搬送方向Ｘと交差するノズル列方向に所定のノズルピッチで配列されノズルＡｎ０〜Ａｎ１６を含む複数のノズルＮを有するチップＡ」は、前者の「第１方向に所定のノズル間隔で配列された複数の第１ノズルを有する第１ヘッドユニット」に相当する。
オ．後者の「このノズル列方向に所定のノズルピッチで配列されノズルＢｎ０〜Ｂｎ２０を含む複数のノズルＮ」及び「ノズル列方向と交差する記録用紙Ｐの搬送方向Ｘ」は、前者の「第１方向に前記ノズル間隔で配列された複数の第２ノズル」及び「第１方向と交差する第２方向」に相当する。
カ．上記オ．より、後者の「このノズル列方向に所定のノズルピッチで配列されノズルＢｎ０〜Ｂｎ２０を含む複数のノズルＮを有し、ノズル列方向と交差する記録用紙Ｐの搬送方向ＸにおいてチップＡとずれた位置に配置されたチップＢ」は、前者の「前記第１方向に前記ノズル間隔で配列された複数の第２ノズルを有し、前記第１方向と交差する第２方向において前記第１ヘッドユニットとずれた位置に配置された第２ヘッドユニット」に相当する。
キ．後者の「ＣＰＵ１０００」は、各記録ヘッド４０を構成するチップＡ及びＢから吐出されるインク滴によって形成されるドットの配置を制御するための画像処理機能を有するものであるから、後者の「ＣＰＵ１０００」は、前者の「第１ヘッドユニット及び前記第２ヘッドユニットを制御する制御手段」に相当する。
ク．後者の「各記録ヘッド４０」は、ブラックインク、シアンインク、マゼンタインク、およびイエローインク用と、色毎に設けられていて、各記録ヘッド４０を構成するチップＡ及びＢから吐出されるインク滴は同じ色であることは明らかであるから、前者の「第１ノズル」に相当するチップＡのノズルＡｎ０〜Ａｎ１６を含む複数のノズルＮから吐出されるインクの色と、前者の「第２ノズル」に相当するチップＢのノズルＢｎ０〜Ｂｎ２０を含む複数のノズルＮから吐出されるインクの色とは同じ色であるといえる。
ケ．後者の「チップＡにおけるノズルＡｎ３〜Ａｎ１６は、隣接するチップＢのノズルＢｎ３〜Ｂｎ１６と同じ画素に対応して」いる点は、前者の「少なくとも４つの第１ノズルは、第２ノズルと同じ画素に対応して」いることに相当する。
コ．後者の「パターンＡ１／Ａ２／Ａ３」、「パターンＢ１／Ｂ２／Ｂ３」、「パターンＣ１／Ｃ２／Ｃ３」及び「パターンＤ１／Ｄ２／Ｄ３」は、「チップＡのノズルＡｎ１２〜Ａｎ１４／Ａｎ１２〜Ａｎ１３／Ａｎ１２から吐出されるインクによって形成されるパターンＡ１／Ａ２／Ａ３と、ノズル配列方向においてパターンＡ１／Ａ２／Ａ３よりも上側の画素に対応するチップＡのノズルＡｎ４〜Ａｎ６／Ａｎ４〜Ａｎ５／Ａｎ４から吐出されるインクによって形成され、画像要素Ａと間隔をあけて並ぶパターンＢ１／Ｂ２／Ｂ３と、ノズル配列方向においてパターンＡ１／Ａ２／Ａ３とパターンＢ１／Ｂ２／Ｂ３との間の画素に対応するチップＢのノズルＢｎ９〜Ｂｎ１１／Ｂｎ９〜Ｂｎ１０／Ｂｎ９から吐出されたインクによって形成されたパターンＣ１／Ｃ２／Ｃ３と、ノズル配列方向において、パターンＡ１／Ａ２／Ａ３よりも下側の画素に対応するチップＢのノズルＢｎ１６〜Ｂｎ１８／Ｂｎ１６〜Ｂｎ１７／Ｂｎ１６から吐出されるインクによって形成されるパターンＤ１／Ｄ２／Ｄ３」との関係を有するから、後者の「パターンＡ１／Ａ２／Ａ３」、「パターンＢ１／Ｂ２／Ｂ３」、「パターンＣ１／Ｃ２／Ｃ３」及び「パターンＤ１／Ｄ２／Ｄ３」は、それぞれ、前者の「Ｎを２以上の自然数として、第１ノズルから吐出されるインクによって形成されるＮ個の画像要素Ａ」、「前記第１方向において最も一方側の前記画像要素Ａよりも前記一方側の画素に対応する前記第１ノズルから吐出されるインクによって形成され、最も前記一方側の前記画像要素Ａと間隔をあけて並ぶ画像要素Ｂ」、「前記第１方向において最も前記一方側の前記画像要素Ａと前記画像要素Ｂとの間の画素に対応する前記第２ノズルから吐出されるインクによって形成されたＮ個の画像要素Ｃ」、「前記第１方向において最も他方側の前記画像要素Ａよりも前記他方側の画素に対応する前記第２ノズルから吐出されるインクによって形成される画像要素Ｄ」に相当する。
（サ）後者のインクジェット記録装置の「パターンＡ１／Ａ２／Ａ３とパターンＢ１／Ｂ２／Ｂ３とパターンＣ１／Ｃ２／Ｃ３とパターンＤ１／Ｄ２／Ｄ３とが、ノズル列方向に並んだテストパターンを印刷させるように各記録ヘッド４０を制御」することは、前者の「前記Ｎ個の画像要素Ａと前記画像要素Ｂと前記Ｎ個の画像要素Ｃと前記画像要素Ｄとが前記第１方向に並んだ第１検査用画像を印刷させるように前記第１ヘッドユニット及び前記第２ヘッドユニットを制御」することに相当する。
　したがって、両者は、
「第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　前記第１ノズルから吐出されるインクの色と、前記第２ノズルから吐出されるインクの色とが同じ色であり、
　少なくとも４つの前記第１ノズルは、前記第２ノズルと同じ画素に対応しており、
　前記制御手段は、
　Ｎを２以上の自然数として、
　前記第１ノズルから吐出されるインクによって形成され、Ｎ個の画像要素Ａと、
　前記第１方向において最も一方側の前記画像要素Ａよりも前記一方側の画素に対応する前記第１ノズルから吐出されるインクによって形成され、前記第１方向において最も前記一方側の前記画像要素Ａと間隔をあけて並ぶ画像要素Ｂと、
　前記第１方向において最も前記一方側の前記画像要素Ａと前記画像要素Ｂとの間の画素に対応する前記第２ノズルから吐出されるインクによって形成されるＮ個の画像要素Ｃと、
　前記第１方向において最も他方側の前記画像要素Ａよりも前記他方側の画素に対応する前記第２ノズルから吐出されるインクによって形成される画像要素Ｄと、
　を有し、前記Ｎ個の画像要素Ａと前記画像要素Ｂと前記Ｎ個の画像要素Ｃと前記画像要素Ｄとが前記第１方向に並んだ第１検査用画像を印刷させるように前記第１ヘッドユニット及び前記第２ヘッドユニットを制御するインクジェットプリンタ。」
の点で一致し、以下の点で相違する。
［相違点７］
　本件特許発明１１が、「第１方向に間隔をあけて並ぶ」Ｎ個の画像要素Ａと、「前記第１方向に隣接する２つの前記画像要素Ａの間の画素」に対応する前記第２ノズルから吐出されるインクによって形成され「前記第１方向に間隔をあけて並ぶ」Ｎ個の画像要素Ｃとを有するのに対し、引用発明１は、そのようなものでない点。
［相違点８］
　本件特許発明１１が、「前記第２ヘッドユニットが、前記画像要素Ｂに対して前記第１方向の前記一方側に隣接する画素に対応する前記第２ノズルを有さず、前記画像要素Ｂに対応する前記第２ノズルを有さず、前記第１ヘッドユニットが、前記画像要素Ｄに対して前記第１方向の前記他方側に隣接する画素に対応する前記第１ノズルを有さない」ものであるのに対し、引用発明１は、そのようなものでない点。
（２）判断
　上記相違点８について、以下検討する。
　引用発明２の「ノズルｎｂ３〜ｎｂ１０」は、ノズルｎｃ１〜ｎｃ８と同じ画素に対応しており、同一領域に対してブラックインクとカラーインクとを吐出するものであるから、上記相違点８に係る発明特定事項の「画像要素Ｂに対応する前記第２ノズルを有さず」の点は、引用発明２に示されていない。
　また、引用発明２は、同一領域に対してブラックインクとカラーインクとを吐出するものであって、パターンの印刷に寄与しないノズルだからといって、そのノズルを有さないとすると、本来，行っていた、同一領域に対するブラックインクとカラーインクとを吐出することができなくなってしまう。
　そうすると、引用発明２において、パターンを印刷しないノズルを有さないとすることは、阻害要因があるものといえる。
　よって、上記相違点８に係る発明特定事項は、当業者が容易に想到し得るものではない。
　してみると、上記相違点７について検討するまでもなく、本件特許発明１１は、引用発明１及び引用発明２より、当業者が容易に想到し得るものとはいえない。
４−２．甲第２号証を主引例とした場合
（１）対比
　本件特許発明１１と引用発明２とを対比すると、
ア．後者の「ブラックノズル列３０２」は、副走査方向Ｙに６００ｄｐｉピッチで配列されたノズルｎｂ１〜ｎｂ２０を有するものであるから、前者の「第１方向に所定のノズル間隔で配列された複数の第１ノズルを有する第１ヘッドユニット」に相当する。
イ．後者の「シアンノズル列３０３」は、副走査方向Ｙに６００ｄｐｉピッチで配列されたノズルｎｃ１〜ｎｃ８を有し、走査方向Ｘにおいてブラックノズル列３０２と配列されたものであって、走査方向Ｘにおいて配列されたとは、第１方向と交差する第２方向においてずれた位置に配置されたといえるから、後者の「シアンノズル列３０３」は、前者の「前記第１方向に前記ノズル間隔で配列された複数の第２ノズルを有し、前記第１方向と交差する第２方向において前記第１ヘッドユニットとずれた位置に配置された第２ヘッドユニット」に相当する。
ウ．後者の「ブラックノズル列３０２とシアンノズル列３０３が記録ヘッドの走査方向に配列されている記録ヘッド１１２を制御する記録制御部１０６」は、前者の「前記第１ヘッドユニット及び前記第２ヘッドユニットを制御する制御手段」に相当する。
エ．後者の「記録ヘッド１１２」のノズルｎｂ３〜ｎｂ１０は、ノズルｎｃ１〜ｎｃ８と同じ画素に対応しているから、前者の「第１ヘッドユニット及び第２ヘッドユニット」と後者の「記録ヘッド１１２」とは、「少なくとも４つの第１ノズルは、第２ノズルと同じ画素に対応しており」との概念で共通する。
オ．後者の「パターン４００２」、「パターン４００４」、「パターン４００６」 、「パターン４００３」、「パターン４００５」、及び「パターン４００１」は、「副走査方向Ｙに隣接するパターン４００２とパターン４００４の間の画素、及び、副走査方向Ｙにおいて最も上流側のパターン４００４とパターン４００６との間の画素に対応するノズルｎｃ４とノズルｎｃ６から吐出されるインクによって形成され、副走査方向Ｙに間隔をあけて並ぶパターン４００３とパターン４００５と、副走査方向Ｙにおいて最も下流側のパターン４００２よりも下流側の画素に対応するノズルｎｃ２から吐出されるインクによって形成されるパターン４００１」との関係を有するから、後者の「パターン４００２」及び「パターン４００４」、「パターン４００６」 、「パターン４００３」及び「パターン４００５」、及び「パターン４００１」は、それぞれ、前者の「第１ノズルから吐出されるインクによって形成され、第１方向に間隔をあけて並ぶＮ個の画像要素Ａ」、「第１方向において最も一方側の前記画像要素Ａよりも一方側の画素に対応する前記第１ノズルから吐出されるインクによって形成され、前記第１方向において最も前記一方側の前記画像要素Ａと間隔をあけて並ぶ画像要素Ｂ」、「第１方向に隣接する２つの前記画像要素Ａの間の画素、及び、第１方向において最も一方側の前記画像要素Ａと前記画像要素Ｂとの間の画素に対応する前記第２ノズルから吐出されたインクによって形成され、前記第１方向に間隔をあけて並ぶＮ個の画像要素Ｃ」及び「記第１方向において最も他方側の前記画像要素Ａよりも前記他方側の画素に対応する前記第２ノズルから吐出されるインクによって形成される画像要素Ｄ」に相当する。
カ．後者の「テストパターン」は、「パターン４００２とパターン４００４とパターン４００６とパターン４００３とパターン４００５とパターン４００１とが副走査方向Ｙに並んだ」ものであるから、前者の「前記Ｎ個の画像要素Ａと前記画像要素Ｂと前記Ｎ個の画像要素Ｃと前記画像要素Ｄとが前記第１方向に並」んだ「第１検査画像」に相当する。
キ．後者の「記録制御部１０６」は、テストパターンを印刷させるように記録ヘッド１１２を制御するものであるから、前者の「制御手段」と後者の「記録制御部１０６」とは、「画像要素Ａと前記画像要素Ｂと前記画像要素Ｃと前記画像要素Ｄとが前記第１方向に並んだ第１検査用画像を印刷させるように前記第１ヘッドユニット及び前記第２ヘッドユニットを制御」するものとの概念で共通する。
　したがって、両者は、
「第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　少なくとも４つの前記第１ノズルは、前記第２ノズルと同じ画素に対応しており、
　前記制御手段は、
　Ｎを２以上の自然数として、
　前記第１ノズルから吐出されるインクによって形成され、前記第１方向に間隔をあけて並ぶＮ個の画像要素Ａと、
　前記第１方向において最も一方側の前記画像要素Ａよりも前記一方側の画素に対応する前記第１ノズルから吐出されるインクによって形成され、前記第１方向において最も前記一方側の前記画像要素Ａと間隔をあけて並ぶ画像要素Ｂと、
　前記第１方向に隣接する２つの前記画像要素Ａの間の画素、及び、前記第１方向において最も前記一方側の前記画像要素Ａと前記画像要素Ｂとの間の画素に対応する前記第２ノズルから吐出されるインクによって形成され、前記第１方向に間隔をあけて並ぶＮ個の画像要素Ｃと、
　前記第１方向において最も他方側の前記画像要素Ａよりも前記他方側の画素に対応する前記第２ノズルから吐出されるインクによって形成される画像要素Ｄと、
　を有し、前記Ｎ個の画像要素Ａと前記画像要素Ｂと前記Ｎ個の画像要素Ｃと前記画像要素Ｄとが前記第１方向に並んだ第１検査用画像を印刷させるように前記第１ヘッドユニット及び前記第２ヘッドユニットを制御するインクジェットプリンタ。」
の点で一致し、以下の点で相違する。
［相違点９］
　本件特許発明１１は、「前記複数の第１ノズルから吐出されるインクの色と、前記複数の第２ノズルから吐出されるインクの色とが同じ色であ」るのに対し、引用発明２は、ブラックノズル列とシアンノズル列からなる異なる色である点。
［相違点１０］
　本件特許発明１１は、「前記第２ヘッドユニットが、前記画像要素Ｂに対して前記第１方向の前記一方側に隣接する画素に対応する前記第２ノズルを有さず、
前記画像要素Ｂに対応する前記第２ノズルを有さず、
（２）判断
　上記相違点９について、以下検討する。
　上記相違点９は、上記３−２．（１）の［相違点４］と実質的に同じ相違点である。
　そして、上記３−２．（２）ア．において検討したように、上記相違点９に係る発明特定事項は、引用発明１に示されているものの、引用発明２において、引用発明１の同じ色を吐出することを採用することは、阻害要因があるものといえるから、上記相違点９に係る発明特定事項は、当業者が容易に想到し得るものとはいえない。
　してみると、上記相違点１０について検討するまでもなく、本件特許発明１１は、引用発明１及び引用発明２より、当業者が容易に想到し得るものとはいえない。
４−３．特許異議申立人の主張について
　特許異議申立人は、複数チップにおけるノズル相互のオーバーラップ部分の記録濃度を測定するためには、測定エリア内の濃度に変化が現れるように、記録に用いるノズルをテストパターンに応じて異ならせればよく、このような態様は、当業者が適宜採用し得るものである、旨主張する。（令和１年７月２５日付け意見書１２頁２〜５行、１３頁１８〜２１行）
　
　しかし、引用発明１は、チップＡのノズルＡｎ１２〜Ａｎ１４／Ａｎ１２〜Ａｎ１３／Ａｎ１２から吐出されるインクによってパターンＡ１／Ａ２／Ａ３が形成され、チップＢのノズルＢｎ９〜Ｂｎ１１／Ｂｎ９〜Ｂｎ１０／Ｂｎ９から吐出されたインクによってパターンＣ１／Ｃ２／Ｃ３が形成されるものであって、ノズルＡｎ１４は、パターンＡ２／Ａ３を形成する場合には使用しないが、パターンＡ１を形成する場合には使用するから、当該ノズルＡｎ１４を有さないとすることができないことは明らかである。
　また、引用発明２は、副走査方向Ｙに６００ｄｐｉピッチで配列されたノズルｎｂ１〜ｎｂ２０を有するブラックノズル列３０２と、副走査方向Ｙに６００ｄｐｉピッチで配列されたノズルｎｃ１〜ｎｃ８を有し、走査方向Ｘにおいてブラックノズル列３０２と配列されたシアンノズル列３０３を有することを前提としたインクジェット記録装置であるから、ブラックノズル列３０２の特定のノズルを有さないとすることができないことは明らかである。
　そして、上記のとおり、引用発明１及び引用発明２において、上記相違点８における「画像要素Ｂに対応する前記第２ノズルを有さず」の点が、設計的事項といえる理由もない。
　したがって、特許異議申立人が主張するように、記録に用いるノズルをテストパターンに応じて異ならせることは、当業者が適宜採用し得る設計的事項とはいえない。
　よって、特許異議申立人の主張は採用し得ない。
５．本件特許発明１２について
５−１．甲第１号証を主引例とした場合
（１）対比　
　本件特許発明１２と引用発明１とを対比すると、
ア．後者の「インクジェット記録装置」は、前者の「インクジェットプリンタ」に相当する。
イ．前者の「第１方向」には、所定のノズル間隔で複数の第１ノズルが配列されているから、後者の所定のノズルピッチでノズルＡｎ０〜Ａｎ１６が配列された「ノズル列方向」は、前者の「第１方向」に相当する。
ウ．後者の「所定のノズルピッチ」及び「ノズルＡｎ０〜Ａｎ１６を含む複数のノズルＮ」は、それぞれ前者の「所定のノズル間隔」及び「複数の第１ノズル」に相当する。
エ．上記イ．及びウ．より、後者の「記録用紙Ｐの搬送方向Ｘと交差するノズル列方向に所定のノズルピッチで配列されノズルＡｎ０〜Ａｎ１６を含む複数のノズルＮを有するチップＡ」は、前者の「第１方向に所定のノズル間隔で配列された複数の第１ノズルを有する第１ヘッドユニット」に相当する。
オ．後者の「このノズル列方向に所定のノズルピッチで配列されノズルＢｎ０〜Ｂｎ２０を含む複数のノズルＮ」及び「ノズル列方向と交差する記録用紙Ｐの搬送方向Ｘ」は、前者の「第１方向に前記ノズル間隔で配列された複数の第２ノズル」及び「第１方向と交差する第２方向」に相当する。
カ．上記オ．より、後者の「このノズル列方向に所定のノズルピッチで配列されノズルＢｎ０〜Ｂｎ２０を含む複数のノズルＮを有し、ノズル列方向と交差する記録用紙Ｐの搬送方向ＸにおいてチップＡとずれた位置に配置されたチップＢ」は、前者の「前記第１方向に前記ノズル間隔で配列された複数の第２ノズルを有し、前記第１方向と交差する第２方向において前記第１ヘッドユニットとずれた位置に配置された第２ヘッドユニット」に相当する。
キ．後者の「ＣＰＵ１０００」は、各記録ヘッド４０を構成するチップＡ及びＢから吐出されるインク滴によって形成されるドットの配置を制御するための画像処理機能を有するものであるから、後者の「ＣＰＵ１０００」は、前者の「第１ヘッドユニット及び前記第２ヘッドユニットを制御する制御手段」に相当する。
ク．後者の「各記録ヘッド４０」は、ブラックインク、シアンインク、マゼンタインク、およびイエローインク用と、色毎に設けられていて、各記録ヘッド４０を構成するチップＡ及びＢから吐出されるインク滴は同じ色であることは明らかであるから、前者の「第１ノズル」に相当するチップＡのノズルＡｎ０〜Ａｎ１６を含む複数のノズルＮから吐出されるインクの色と、前者の「第２ノズル」に相当するチップＢのノズルＢｎ０〜Ｂｎ２０を含む複数のノズルＮから吐出されるインクの色とは同じ色であるといえる。
ケ．後者の「チップＡにおけるノズルＡｎ３〜Ａｎ１６は、隣接するチップＢのノズルＢｎ３〜Ｂｎ１６と同じ画素に対応して」いる点は、前者の「少なくとも４つの第１ノズルは、第２ノズルと同じ画素に対応して」いることに相当する。
コ．後者の「パターンＡ１／Ａ２／Ａ３」、「パターンＢ１／Ｂ２／Ｂ３」、「パターンＣ１／Ｃ２／Ｃ３」及び「パターンＤ１／Ｄ２／Ｄ３」は、「チップＡのノズルＡｎ１２〜Ａｎ１４／Ａｎ１２〜Ａｎ１３／Ａｎ１２から吐出されるインクによって形成されるパターンＡ１／Ａ２／Ａ３と、ノズル配列方向においてパターンＡ１／Ａ２／Ａ３よりも上側の画素に対応するチップＡのノズルＡｎ４〜Ａｎ６／Ａｎ４〜Ａｎ５／Ａｎ４から吐出されるインクによって形成され、画像要素Ａと間隔をあけて並ぶパターンＢ１／Ｂ２／Ｂ３と、ノズル配列方向においてパターンＡ１／Ａ２／Ａ３とパターンＢ１／Ｂ２／Ｂ３との間の画素に対応するチップＢのノズルＢｎ９〜Ｂｎ１１／Ｂｎ９〜Ｂｎ１０／Ｂｎ９から吐出されたインクによって形成されたパターンＣ１／Ｃ２／Ｃ３と、ノズル配列方向において、パターンＡ１／Ａ２／Ａ３よりも下側の画素に対応するチップＢのノズルＢｎ１６〜Ｂｎ１８／Ｂｎ１６〜Ｂｎ１７／Ｂｎ１６から吐出されるインクによって形成されるパターンＤ１／Ｄ２／Ｄ３」との関係を有するから、後者の「パターンＡ１／Ａ２／Ａ３」、「パターンＢ１／Ｂ２／Ｂ３」、「パターンＣ１／Ｃ２／Ｃ３」及び「パターンＤ１／Ｄ２／Ｄ３」は、それぞれ、前者の「Ｎを２以上の自然数として、第１ノズルから吐出されるインクによって形成されるＮ個の画像要素Ａ」、「前記第１方向において最も一方側の前記画像要素Ａよりも前記一方側の画素に対応する前記第１ノズルから吐出されるインクによって形成され、最も前記一方側の前記画像要素Ａと間隔をあけて並ぶ画像要素Ｂ」、「前記第１方向において最も前記一方側の前記画像要素Ａと前記画像要素Ｂとの間の画素に対応する前記第２ノズルから吐出されるインクによって形成されたＮ個の画像要素Ｃ」、「前記第１方向において最も他方側の前記画像要素Ａよりも前記他方側の画素に対応する前記第２ノズルから吐出されるインクによって形成される画像要素Ｄ」に相当する。
（サ）後者のインクジェット記録装置の「パターンＡ１／Ａ２／Ａ３とパターンＢ１／Ｂ２／Ｂ３とパターンＣ１／Ｃ２／Ｃ３とパターンＤ１／Ｄ２／Ｄ３とが、ノズル列方向に並んだテストパターンを印刷させるように各記録ヘッド４０を制御」することは、前者の「前記Ｎ個の画像要素Ａと前記画像要素Ｂと前記Ｎ個の画像要素Ｃと前記画像要素Ｄとが前記第１方向に並んだ第１検査用画像を印刷させるように前記第１ヘッドユニット及び前記第２ヘッドユニットを制御」することに相当する。
（シ）後者のインクジェット記録装置は、「ＣＰＵ１０００は、テストパターンの印刷において、パターンＢ１／Ｂ２／Ｂ３に対してノズル列方向の上側に隣接する画素に対応するチップＢのノズルＢｎ３からパターンを記録」しないものであるから、前者の「制御装置は、前記第１検査用画像の印刷において、画像要素Ｂに対して前記第１方向の前記一方側に隣接する画素に対応する前記第２ノズルからインクを吐出させ」ないことに相当する。
（ス）後者のインクジェット記録装置は、「ＣＰＵ１０００は、テストパターンの印刷において」、「パターンＤ１／Ｄ２／Ｄ３に対してノズル列方向の下側に隣接する画素に対応するチップＡのノズルＮからパターンを記録」しないものであるから、前者の「制御装置は、前記第１検査用画像の印刷において」、「前記画像要素Ｄに対して前記第１方向の前記他方側に隣接する画素に対応する前記第１ノズルからインクを吐出させない」ことに相当する。
　
　したがって、両者は、
「第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　前記第１ノズルから吐出されるインクの色と、前記第２ノズルから吐出されるインクの色とが同じ色であり、
　少なくとも４つの前記第１ノズルは、前記第２ノズルと同じ画素に対応しており、
　前記制御手段は、
　Ｎを２以上の自然数として、
　前記第１ノズルから吐出されるインクによって形成され、Ｎ個の画像要素Ａと、
　前記第１方向において最も一方側の前記画像要素Ａよりも前記一方側の画素に対応する前記第１ノズルから吐出されるインクによって形成され、最も前記一方側の前記画像要素Ａと間隔をあけて並ぶ画像要素Ｂと、
　前記第１方向に隣接する２つの前記画像要素Ａの間の画素、及び、前記第１方向において最も前記一方側の前記画像要素Ａと前記画像要素Ｂとの間の画素に対応する前記第２ノズルから吐出されるインクによって形成され、Ｎ個の画像要素Ｃと、
　前記第１方向において最も他方側の前記画像要素Ａよりも前記他方側の画素に対応する前記第２ノズルから吐出されるインクによって形成される画像要素Ｄと、
　を有し、前記Ｎ個の画像要素Ａと前記画像要素Ｂと前記Ｎ個の画像要素Ｃと前記画像要素Ｄとが前記第１方向に並び、第１検査用画像を印刷させるように前記第１ヘッドユニット及び前記第２ヘッドユニットを制御し、
　前記制御手段は、前記第１検査用画像の印刷において、
　前記画像要素Ｂに対して前記第１方向の前記一方側に隣接する画素に対応する前記第２ノズルからインクを吐出させず、
　前記画像要素Ｄに対して前記第１方向の前記他方側に隣接する画素に対応する前記第１ノズルからインクを吐出させない、
　ように前記第１ヘッドユニット及び前記第２ヘッドユニットを制御することを特徴とするインクジェットプリンタ。」
の点で一致し、以下の点で相違する。
　
［相違点１１］
　本件特許発明１２が、「第１方向に間隔をあけて並ぶ」Ｎ個の画像要素Ａであって、「前記第１方向に隣接する２つの前記画像要素Ａの間の画素」、及び、前記第１方向において最も前記一方側の前記画像要素Ａと前記画像要素Ｂとの間の画素に対応する前記第２ノズルから吐出されるインクによって形成され、「前記第１方向に間隔をあけて並ぶ」Ｎ個の画像要素Ｃとを有するのに対し、引用発明１は、そのようなものでない点。
　
［相違点１２］
　第１検査用画像が、本件特許発明１２は、「前記画像要素Ｂの前記第１方向の長さが前記画像要素Ａの前記第１方向の長さよりも長い」ものであるのに対し、引用発明１は、パターンＡ１／Ａ２／Ａ３と、Ｂ１／Ｂ２／Ｂ３とからなる同じ長さのものである点。
（２）判断
　上記相違点１２について、以下検討する。
　上記相違点１２は、上記３−１．（１）の［相違点２］と実質的に同じ相違点である。
　そうすると、上記３−１．（２）ア．において検討したように、上記相違点１２に係る発明特定事項は引用発明１にも示されていないし、引用発明１及び引用発明２において、設計的事項とする理由もないことは明らかである。
　してみると、上記相違点１１について検討するまでもなく、本件特許発明１２は、引用発明１及び引用発明２より、当業者が容易に想到し得るものとはいえない。
５−２．甲第２号証を主引例とした場合
（１）対比
　本件特許発明１２と引用発明２とを対比すると、
ア．後者の「ブラックノズル列３０２」は、副走査方向Ｙに６００ｄｐｉピッチで配列されたノズルｎｂ１〜ｎｂ２０を有するものであるから、前者の「第１方向に所定のノズル間隔で配列された複数の第１ノズルを有する第１ヘッドユニット」に相当する。
イ．後者の「シアンノズル列３０３」は、副走査方向Ｙに６００ｄｐｉピッチで配列されたノズルｎｃ１〜ｎｃ８を有し、走査方向Ｘにおいてブラックノズル列３０２と配列されたものであって、走査方向Ｘにおいて配列されたとは、第１方向と交差する第２方向においてずれた位置に配置されたといえるから、後者の「シアンノズル列３０３」は、前者の「前記第１方向に前記ノズル間隔で配列された複数の第２ノズルを有し、前記第１方向と交差する第２方向において前記第１ヘッドユニットとずれた位置に配置された第２ヘッドユニット」に相当する。
ウ．後者の「ブラックノズル列３０２とシアンノズル列３０３が記録ヘッドの走査方向に配列されている記録ヘッド１１２を制御する記録制御部１０６」は、前者の「前記第１ヘッドユニット及び前記第２ヘッドユニットを制御する制御手段」に相当する。
エ．後者の「記録ヘッド１１２」のノズルｎｂ３〜ｎｂ１０は、ノズルｎｃ１〜ｎｃ８と同じ画素に対応しているから、前者の「第１ヘッドユニット及び第２ヘッドユニット」と後者の「記録ヘッド１１２」とは、「少なくとも４つの第１ノズルは、第２ノズルと同じ画素に対応しており」との概念で共通する。
オ．後者の「パターン４００２」、「パターン４００４」、「パターン４００６」 、「パターン４００３」、「パターン４００５」、及び「パターン４００１」は、「副走査方向Ｙに隣接するパターン４００２とパターン４００４の間の画素、及び、副走査方向Ｙにおいて最も上流側のパターン４００４とパターン４００６との間の画素に対応するノズルｎｃ４とノズルｎｃ６から吐出されるインクによって形成され、副走査方向Ｙに間隔をあけて並ぶパターン４００３とパターン４００５と、副走査方向Ｙにおいて最も下流側のパターン４００２よりも下流側の画素に対応するノズルｎｃ２から吐出されるインクによって形成されるパターン４００１」との関係を有するから、後者の「パターン４００２」及び「パターン４００４」、「パターン４００６」 、「パターン４００３」及び「パターン４００５」、及び「パターン４００１」は、それぞれ、前者の「第１ノズルから吐出されるインクによって形成され、第１方向に間隔をあけて並ぶＮ個の画像要素Ａ」、「第１方向において最も一方側の前記画像要素Ａよりも一方側の画素に対応する前記第１ノズルから吐出されるインクによって形成され、前記第１方向において最も前記一方側の前記画像要素Ａと間隔をあけて並ぶ画像要素Ｂ」、「第１方向に隣接する２つの前記画像要素Ａの間の画素、及び、第１方向において最も一方側の前記画像要素Ａと前記画像要素Ｂとの間の画素に対応する前記第２ノズルから吐出されたインクによって形成され、前記第１方向に間隔をあけて並ぶＮ個の画像要素Ｃ」及び「記第１方向において最も他方側の前記画像要素Ａよりも前記他方側の画素に対応する前記第２ノズルから吐出されるインクによって形成される画像要素Ｄ」に相当する。
カ．後者の「テストパターン」は、「パターン４００２とパターン４００４とパターン４００６とパターン４００３とパターン４００５とパターン４００１とが副走査方向Ｙに並んだ」ものであるから、前者の「前記Ｎ個の画像要素Ａと前記画像要素Ｂと前記Ｎ個の画像要素Ｃと前記画像要素Ｄとが前記第１方向に並」んだ「第１検査画像」に相当する。
キ．後者の「記録制御部１０６」は、テストパターンを印刷させるように記録ヘッド１１２を制御するものであるから、前者の「制御手段」と後者の「記録制御部１０６」とは、「画像要素Ａと前記画像要素Ｂと前記画像要素Ｃと前記画像要素Ｄとが前記第１方向に並んだ第１検査用画像を印刷させるように前記第１ヘッドユニット及び前記第２ヘッドユニットを制御」するものとの概念で共通する。
　したがって、両者は、
「第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　少なくとも２つの第１ノズルは、第２ノズルと同じ画素に対応しており、
　前記制御手段は、
　前記第１ノズルから吐出されるインクによって形成される画像要素Ａと、
　前記第１方向において前記画像要素Ａよりも一方側の画素に対応する前記第１ノズルから吐出されるインクによって形成され、前記画像要素Ａと間隔をあけて並ぶ画像要素Ｂと、
　前記第１方向において前記画像要素Ａと前記画像要素Ｂとの間の画素に対応する前記第２ノズルから吐出されたインクによって形成された画像要素Ｃと、
　前記第１方向において、前記第２ノズルから吐出されるインクによって形成され、前記第１方向において、前記画像要素Ａよりも他方側の画素に対応する前記第２ノズルから吐出されるインクによって形成される画像要素Ｄと、
　を有し、前記画像要素Ａと前記画像要素Ｂと前記画像要素Ｃと前記画像要素Ｄとが前記第１方向に並び、前記第１検査用画像を印刷させるように前記第１ヘッドユニット及び前記第２ヘッドユニットを制御し、
　前記制御装置は、前記第１検査用画像の印刷において、
　前記画像要素Ｂに対して前記第１方向の前記一方側に隣接する画素に対応する前記第２ノズルからインクを吐出させず、
　前記画像要素Ｄに対して前記第１方向の前記他方側に隣接する画素に対応する前記第１ノズルからインクを吐出させない、
　ように前記第１ヘッドユニット及び前記第２ヘッドユニットを制御することを特徴とするインクジェットプリンタ。」
の点で一致し、以下の点で相違する。
［相違点１３］
　本件特許発明１２は、「前記複数の第１ノズルから吐出されるインクの色と、前記複数の第２ノズルから吐出されるインクの色とが同じ色であ」るのに対し、引用発明２は、ブラックノズル列とシアンノズル列からなる異なる色である点。
［相違点１４］
　本件特許発明１２は、「画像要素Ｂの前記第１方向の長さが前記画像要素Ａの前記第１方向の長さよりも長い」ものであるのに対し、引用発明２は、それぞれ１つのノズルから吐出される同じ長さのものである点。
（２）判断
ア．［相違点１３］について
　上記相違点１３は、上記３−２．（１）の［相違点４］と実質的に同じ相違点である。
　そして、上記３−２．（２）ア．において検討したように、上記相違点１３に係る発明特定事項は、引用発明１に示されているものの、引用発明２において、引用発明１の同じ色を吐出することを採用することは、阻害要因があるものといえるから、上記相違点１３に係る発明特定事項は、当業者が容易に想到し得るものとはいえない。
イ．［相違点１４］について
　相違点１４は、上記３−１．（１）の［相違点２］と実質的に同じ相違点である。
　そうすると、上記３−１．（２）ア．において検討したように、上記相違点１４に係る発明特定事項は引用発明１にも示されていないし、引用発明１及び引用発明２において、設計的事項とする理由もないことは明らかである。
　したがって、本件特許発明１２は、引用発明１及び引用発明２より、当業者が容易に想到し得るものとはいえない。
５−３．特許異議申立人の主張について
　特許異議申立人は、画像要素Ｂの第１方向の長さが画像要素Ａの第１方向の長さより長い検査用画像を印刷させることは、甲１発明において当業者が適宜採用し得るものである、旨主張する。（令和１年７月２５日付け意見書１７頁２〜４行）
　
　しかし、引用発明１のチップＡにより形成されるパターンＡ１／Ａ２／Ａ３と、チップＢにより形成されるパターンＢ１／Ｂ２／Ｂ３とは、同数のノズルを用いて形成されるものであって、刊行物１に、ノズル数を異なるものとする記載も示唆もないから、異議申立人が主張するように、画素要素Ｂのうちの一方側のドットを増やすことを、当業者が適宜採用し得る設計的事項とする理由も見い出せない。
　よって、異議申立人の主張は採用し得ない。
第７．特許法第２９条第１項第３号違反に係る異議申立理由についての当審の判断
　上記第６．の３−１．（１）のとおり、本件特許発明９と引用発明１とは上記相違点２及び３で相違するものであるから、本件特許発明９は、引用発明１に記載されたものではない。
　また、第６．の３−２．（１）のとおり、本件特許発明９と引用発明２とは上記相違点４乃至６で相違するものであるから、本件特許発明９は、引用発明２に記載されたものではない。
　また、第６．の５−２．（１）のとおり、本件特許発明１２と引用発明２とは上記相違点１３及び１４で相違するものであるから、本件特許発明１２は、引用発明２に記載されたものではない。
第８．特許法第３６条第６項第１号違反に係る異議申立理由についての当審の判断
　特許異議申立人は、発明の詳細な説明には、ヘッドユニット同士のずれの向きを容易に検出することを課題とし、この課題を、第１検査用画像に形成された筋の数によって、ヘッドユニット同士のずれの向きを検出するようにしたことによって解決した発明が記載されていると認められるところ、本件の請求項１には、印刷された第１検査用画像を用いて、どのようにヘッドユニット同士のずれの向きを検出するのかが規定されていない、と主張する。（特許異議申立書７１頁１〜７行）
　本件特許発明が解決しようとする課題は、「ヘッドユニット同士のずれの向きを容易に検出することが可能なインクジェットプリンタ、及び、ずれ検査方法を提供することである」（【０００５】）と認められる。
　そして、本件特許明細書（【００１２】乃至【００５１】）を参酌すれば、「第１方向に所定のノズル間隔で配列された複数の第１ノズルを有する第１ヘッドユニットと、前記第１方向に前記ノズル間隔で配列された複数の第２ノズルを有し、前記第１方向と交差する第２方向において前記第１ヘッドユニットとずれた位置に配置された第２ヘッドユニットと、前記第１ヘッドユニット及び前記第２ヘッドユニットを制御する制御手段と、を備え、少なくとも２つの第１ノズルは、第２ノズルと同じ画素に対応しており、前記制御手段は、前記第１ノズルから吐出されるインクによって形成される画像要素Ａと、前記第１方向において前記画像要素Ａよりも一方側の画素に対応する前記第１ノズルから吐出されるインクによって形成され、前記画像要素Ａと間隔をあけて並ぶ画像要素Ｂと、前記第１方向において前記画像要素Ａと前記画像要素Ｂとの間の画素に対応する前記第２ノズルから吐出されたインクによって形成された画像要素Ｃと、前記第１方向において前記画像要素Ａよりも他方側の画素に対応する前記第２ノズルから吐出されるインクによって形成される画像要素Ｄと、を有し、前記画像要素Ａと前記画像要素Ｂと前記画像要素Ｃと前記画像要素Ｄとが前記第１方向に並んだ第１検査用画像を印刷させるように前記第１ヘッドユニット及び前記第２ヘッドユニットを制御し、前記制御装置は、前記画像要素Ｂの前記第１方向における長さが前記画像要素Ａの前記第１方向における長さよりも長く、前記画像要素Ｄの前記第１方向における長さが前記画像要素Ｃの前記第１方向における長さよりも長い、前記第１検査用画像を印刷させる、ように前記第１ヘッドユニット及び前記第２ヘッドユニットを制御することを特徴とするインクジェットプリンタ。」（【請求項１】）という構成を採用することにより、「第１ヘッドユニットと前記第２ヘッドユニットとが、配列方向にずれている場合には、第１検査用画像を印刷すると、印刷された画像に第１パターンと第２パターンとが配列方向にずれることで被記録媒体が露出して筋ができる。また、第１ヘッドユニットが第２ヘッドユニットに対して配列方向の上記一方側にずれた場合に、配列方向の上記他方側にずれた場合よりも、上記筋の数が多くなる。したがって、印刷された画像の上記筋の数によって、第１ヘッドユニットと第２ヘッドユニットとのずれの向きを容易に検出することができる。」（【０００８】）という作用・効果を奏し、上記本件特許発明が解決しようとする課題を解決することが理解できる。
　そうすると、本件特許発明１は、発明の詳細な説明の記載において、当業者が課題を解決できると認識し得る範囲のものであるといえる。
　以上のとおりであるから、本件特許発明１は、課題を解決するための手段が記載されたものであって、特許法第３６条第６項第１号の規定を充足するものである。
　また、本件特許発明２乃至１２についても同様に、本件特許明細書の【００５２】乃至【００９１】を参酌すれば、本件特許発明２乃至１２は、発明の詳細な説明の記載において、当業者が課題を解決できると認識し得る範囲のものであるといえるから、本件特許発明２乃至１２は、課題を解決するための手段が記載されたものであって、特許法第３６条第６項第１号の規定を充足するものである。
第９．むすび
　以上のとおり、本件特許発明８は、特許法第２９条第２項の規定を満たさないから、同法第１１３条第２号の規定に該当し、取り消すべきものである。
　また、本件発明１乃至７、９、１０乃至１２に係る特許は、特許異議申立書に記載した特許異議申立理由によっては取り消すことはできない。
　さらに、他に本件発明１乃至７、９、１０乃至１２に係る特許を取り消すべき理由を発見しない。
　
　よって、結論のとおり決定する。
【異議決定日】
令和１年９月２５日（２０１９．９．２５）
【訂正の要旨】
審決（決定）の【理由】欄参照。
（５７）【特許請求の範囲】
　【請求項１】
　第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　少なくとも２つの第１ノズルは、第２ノズルと同じ画素に対応しており、
　前記制御手段は、
　前記第１ノズルから吐出されるインクによって形成される画像要素Ａと、
　前記第１方向において前記画像要素Ａよりも一方側の画素に対応する前記第１ノズルから吐出されるインクによって形成され、前記画像要素Ａと間隔をあけて並ぶ画像要素Ｂと、
　前記第１方向において前記画像要素Ａと前記画像要素Ｂとの間の画素に対応する前記第２ノズルから吐出されたインクによって形成された画像要素Ｃと、
　前記第１方向において前記画像要素Ａよりも他方側の画素に対応する前記第２ノズルから吐出されるインクによって形成される画像要素Ｄと、
　を有し、前記画像要素Ａと前記画像要素Ｂと前記画像要素Ｃと前記画像要素Ｄとが前記第１方向に並んだ第１検査用画像を印刷させるように前記第１ヘッドユニット及び前記第２ヘッドユニットを制御し、
　前記制御装置は、
　前記画像要素Ｂの前記第１方向における長さが前記画像要素Ａの前記第１方向における長さよりも長く、前記画像要素Ｄの前記第１方向における長さが前記画像要素Ｃの前記第１方向における長さよりも長い、前記第１検査用画像を印刷させる、
　ように前記第１ヘッドユニット及び前記第２ヘッドユニットを制御することを特徴とするインクジェットプリンタ。
　【請求項２】
　少なくとも３つの前記第１ノズルが、前記第２ノズルと同じ画素に対応しており、
　前記制御手段は、
　前記第１ノズルから吐出されたインクによって形成され、前記第１方向に間隔をあけて並んだ２つの画像要素Ｅと、
　前記画像要素Ｅを形成する画素に対応する前記第２ノズルから吐出されたインクによって形成され、前記第１方向に間隔をあけて並んだ２つの画像要素Ｆと、を有し、前記第１検査用画像と前記第２方向にずれて配置された第２検査用画像をさらに印刷させるように、前記第１ヘッドユニット及び前記第２ヘッドユニットの駆動素子を制御することを特徴とする請求項１に記載のインクジェットプリンタ。
　【請求項３】
　前記第１ヘッドユニットが、互いに異なる色のインクを吐出する複数種類の前記第１ノズルを備え、各色のインクを吐出する前記第１ノズルが、それぞれ、前記第１方向に配列され、
　前記第２ヘッドユニットが、互いに異なる色のインクを吐出する複数種類の前記第２ノズルを備え、各色のインクを吐出する前記第２ノズルが、それぞれ、前記第１方向に配列され、
　前記制御装置は、吐出する色が同じ前記第１ノズルと前記第２ノズルとからインクを吐出させることによって前記第１検査用画像を印刷させることを特徴とする請求項１又は２に記載のインクジェットプリンタ。
　【請求項４】
　前記第１ヘッドユニットが、複数の前記第１ノズルが前記第１方向に配列されることによってそれぞれ形成され、前記第２方向に並んだ複数の第１ノズル列を有し、
　前記第２ヘッドユニットが、複数の前記第２ノズルが前記第１方向に配列されることによってそれぞれ形成され、前記第２方向に並んだ複数の第２ノズル列を有し、
　前記制御手段は、複数の前記第１ノズル列のうち、前記第２ヘッドユニットに最も近い前記第１ノズル列を形成する前記第１ノズルと、複数の前記第２ノズル列のうち、前記第１ヘッドユニットに最も近い前記第２ノズル列を形成する前記第２ノズルとからインクを吐出させることにより、前記第１検査用画像を印刷させることを特徴とする請求項１〜３のいずれかに記載のインクジェットプリンタ。
　【請求項５】
　前記制御手段は、前記第１検査用画像の、前記第１ノズル及び前記第２ノズルから吐出されたインクが被記録媒体に着弾することによって形成されたドットの径が、前記ノズル間隔以下となるように、前記第１ノズル及び前記第２ノズルからインクを吐出させることを特徴とする請求項１〜４のいずれかに記載のインクジェットプリンタ。
　【請求項６】
　前記制御手段は、前記第１検査用画像の、前記第１ノズル及び前記第２ノズルから吐出されたインクが被記録媒体に着弾することによって形成されたドットの径が、前記ノズル間隔と同じとなるように、前記第１ノズル及び前記第２ノズルからインクを吐出させることを特徴とする請求項５に記載のインクジェットプリンタ。
　【請求項７】
　前記制御手段は、前記画像要素Ａ及び前記画像要素Ｂの形成に使用する前記第１ノズルと、前記画像要素Ｃ及び前記画像要素Ｄの形成に使用する前記第２ノズルとの組み合わせを互いに異ならせた、複数の前記第１検査用画像を印刷させることを特徴とする請求項１〜６のいずれかに記載のインクジェットプリンタ。
　【請求項８】
　第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　
前記複数の第１ノズルから吐出されるインクの色と、前記複数の第２ノズルから吐出されるインクの色とが同じ色であり、
　少なくとも２つの第１ノズルは、第２ノズルと同じ画素に対応しており、
　前記制御手段は、
　前記第１ノズルから吐出されるインクによって形成される画像要素Ａと、
　前記第１方向において前記画像要素Ａよりも一方側の画素に対応する前記第１ノズルから吐出されるインクによって形成され、前記画像要素Ａと間隔をあけて並ぶ画像要素Ｂと、
　前記第１方向において前記画像要素Ａと前記画像要素Ｂとの間の画素に対応する前記第２ノズルから吐出されたインクによって形成された画像要素Ｃと、
　前記第１方向において前記画像要素Ａよりも他方側の画素に対応する前記第２ノズルから吐出されるインクによって形成される画像要素Ｄと、
　を有し、前記画像要素Ａと前記画像要素Ｂと前記画像要素Ｃと前記画像要素Ｄとが前記第１方向に並んだ第１検査用画像を印刷させるように前記第１ヘッドユニット及び前記第２ヘッドユニットを制御し、
　画像要素Ａの第１方向の最も一方側のドットを形成する第１ノズルと、画像要素Ｃの第１方向の最も他方側のドットを形成する第２ノズルと同じ画素に対応する第１ノズルとが前記第１方向に互いに隣接し、
　
画像要素Ａの第１方向の最も他方側のドットを形成する第１ノズルと、画像要素Ｄの第１方向の最も一方側のドットを形成する第２ノズルと同じ画素に対応する第１ノズルとが前記第１方向に互いに隣接し、
　
画像要素Ｂの第１方向の最も他方側のドットを形成する第１ノズルと、画像要素Ｃの第１方向の最も一方側のドットを形成する第２ノズルと同じ画素に対応する第１ノズルとが前記第１方向に互いに隣接し、
　前記第２ヘッドユニットが、
　前記画像要素Ｂに対して前記第１方向の前記一方側に隣接する画素に対応する前記第２ノズルを有さず、
　
前記画像要素Ｂに対応する前記第２ノズルを有さず、
　前記第１ヘッドユニットが、
　前記画像要素Ｄに対して前記第１方向の前記他方側に隣接する画素に対応する前記第１ノズルを有さないことを特徴とするインクジェットプリンタ。
　【請求項９】
　第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　前記複数の第１ノズルから吐出されるインクの色と、前記複数の第２ノズルから吐出されるインクの色とが同じ色であり、
　少なくとも２つの第１ノズルは、第２ノズルと同じ画素に対応しており、
　前記制御手段は、
　前記第１ノズルから吐出されるインクによって形成される画像要素Ａと、
　前記第１方向において前記画像要素Ａよりも一方側の画素に対応する前記第１ノズルから吐出されるインクによって形成され、前記画像要素Ａと間隔をあけて並ぶ画像要素Ｂと、
　前記第１方向において前記画像要素Ａと前記画像要素Ｂとの間の画素に対応する前記第２ノズルから吐出されたインクによって形成された画像要素Ｃと、
　前記第１方向において、前記第２ノズルから吐出されるインクによって形成され、前記第１方向において、前記画像要素Ａよりも他方側の画素に対応する前記第２ノズルから吐出されるインクによって形成される画像要素Ｄと、
　を有し、前記画像要素Ａと前記画像要素Ｂと前記画像要素Ｃと前記画像要素Ｄとが前記第１方向に並
び、前記画像要素Ｂの前記第１方向の長さが前記画像要素Ａの前記第１方向の長さよりも長い
　画像要素Ａの第１方向の最も一方側のドットを形成する第１ノズルと、画像要素Ｃの第１方向の最も他方側のドットを形成する第２ノズルと同じ画素に対応する第１ノズルとが前記第１方向に互いに隣接し、
　画像要素Ａの第１方向の最も他方側のドットを形成する第１ノズルと、画像要素Ｄの第１方向の最も一方側のドットを形成する第２ノズルと同じ画素に対応する第１ノズルとが前記第１方向に互いに隣接し、
　画像要素Ｂの第１方向の最も他方側のドットを形成する第１ノズルと、画像要素Ｃの第１方向の最も一方側のドットを形成する第２ノズルと同じ画素に対応する第１ノズルとが前記第１方向に互いに隣接し、
　前記制御装置は、前記第１検査用画像の印刷において、
　前記画像要素Ｂに対して前記第１方向の前記一方側に隣接する画素に対応する前記第２ノズルからインクを吐出させず、
　前記画像要素Ｄに対して前記第１方向の前記他方側に隣接する画素に対応する前記第１ノズルからインクを吐出させない、
　ように前記第１ヘッドユニット及び前記第２ヘッドユニットを制御することを特徴とするインクジェットプリンタ。
　【請求項１０】
　第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　少なくとも４つの前記第１ノズルは、前記第２ノズルと同じ画素に対応しており、
　前記制御手段は、
　Ｎを２以上の自然数として、
　前記第１ノズルから吐出されるインクによって形成され、前記第１方向に間隔をあけて並ぶＮ個の画像要素Ａと、
　前記第１方向において最も一方側の前記画像要素Ａよりも前記一方側の画素に対応する前記第１ノズルから吐出されるインクによって形成され、前記第１方向において最も前記一方側の前記画像要素Ａと間隔をあけて並ぶ画像要素Ｂと、
　前記第１方向に隣接する２つの前記画像要素Ａの間の画素、及び、前記第１方向において最も前記一方側の前記画像要素Ａと前記画像要素Ｂとの間の画素に対応する前記第２ノズルから吐出されるインクによって形成され、前記第１方向に間隔をあけて並ぶＮ個の画像要素Ｃと、
　前記第１方向において最も他方側の前記画像要素Ａよりも前記他方側の画素に対応する前記第２ノズルから吐出されるインクによって形成される画像要素Ｄと、
　を有し、前記Ｎ個の画像要素Ａと前記画像要素Ｂと前記Ｎ個の画像要素Ｃと前記画像要素Ｄとが前記第１方向に並んだ第１検査用画像を印刷させるように前記第１ヘッドユニット及び前記第２ヘッドユニットを制御し、
　前記制御手段は、
　前記画像要素Ｂの前記第１方向における長さが前記画像要素Ａの前記第１方向における長さよりも長く、前記画像要素Ｄの前記第１方向における長さが前記画像要素Ｃの前記第１方向における長さよりも長い、前記第１検査画像を印刷させる、
　ように前記第１ヘッドユニット及び前記第２ヘッドユニットを制御することを特徴とするインクジェットプリンタ。
　【請求項１１】
　第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　前記第１ノズルから吐出されるインクの色と、前記第２ノズルから吐出されるインクの色とが同じ色であり、
　少なくとも４つの前記第１ノズルは、前記第２ノズルと同じ画素に対応しており、
　前記制御手段は、
　Ｎを２以上の自然数として、
　前記第１ノズルから吐出されるインクによって形成され、前記第１方向に間隔をあけて並ぶＮ個の画像要素Ａと、
　前記第１方向において最も一方側の前記画像要素Ａよりも前記一方側の画素に対応する前記第１ノズルから吐出されるインクによって形成され、前記第１方向において最も前記一方側の前記画像要素Ａと間隔をあけて並ぶ画像要素Ｂと、
　前記第１方向に隣接する２つの前記画像要素Ａの間の画素、及び、前記第１方向において最も前記一方側の前記画像要素Ａと前記画像要素Ｂとの間の画素に対応する前記第２ノズルから吐出されるインクによって形成され、前記第１方向に間隔をあけて並ぶＮ個の画像要素Ｃと、
　前記第１方向において最も他方側の前記画像要素Ａよりも前記他方側の画素に対応する前記第２ノズルから吐出されるインクによって形成される画像要素Ｄと、
　を有し、前記Ｎ個の画像要素Ａと前記画像要素Ｂと前記Ｎ個の画像要素Ｃと前記画像要素Ｄとが前記第１方向に並んだ第１検査用画像を印刷させるように前記第１ヘッドユニット及び前記第２ヘッドユニットを制御し、
　前記第２ヘッドユニットが、
　前記画像要素Ｂに対して前記第１方向の前記一方側に隣接する画素に対応する前記第２ノズルを有さず、
　
前記画像要素Ｂに対応する前記第２ノズルを有さず、
　前記第１ヘッドユニットが、前記画像要素Ｄに対して前記第１方向の前記他方側に隣接する画素に対応する前記第１ノズルを有さないことを特徴とするインクジェットプリンタ。
　【請求項１２】
　第１方向に所定のノズル間隔で配列された複数の第１ノズルを有する第１ヘッドユニットと、
　前記第１方向に前記ノズル間隔で配列された複数の第２ノズルを有し、前記第１方向と交差する第２方向において前記第１ヘッドユニットとずれた位置に配置された第２ヘッドユニットと、
　前記第１ヘッドユニット及び前記第２ヘッドユニットを制御する制御手段と、を備え、
　前記第１ノズルから吐出されるインクの色と、前記第２ノズルから吐出されるインクの色とが同じ色であり、
　少なくとも４つの前記第１ノズルは、前記第２ノズルと同じ画素に対応しており、
　前記制御手段は、
　Ｎを２以上の自然数として、
　前記第１ノズルから吐出されるインクによって形成され、前記第１方向に間隔をあけて並ぶＮ個の画像要素Ａと、
　前記第１方向において最も一方側の前記画像要素Ａよりも前記一方側の画素に対応する前記第１ノズルから吐出されるインクによって形成され、最も前記一方側の前記画像要素
Ａと間隔をあけて並ぶ画像要素Ｂと、
　前記第１方向に隣接する２つの前記画像要素Ａの間の画素、及び、前記第１方向において最も前記一方側の前記画像要素Ａと前記画像要素Ｂとの間の画素に対応する前記第２ノズルから吐出されるインクによって形成され、前記第１方向に間隔をあけて並ぶＮ個の画像要素Ｃと、
　前記第１方向において最も他方側の前記画像要素Ａよりも前記他方側の画素に対応する前記第２ノズルから吐出されるインクによって形成される画像要素Ｄと、
　を有し、前記Ｎ個の画像要素Ａと前記画像要素Ｂと前記Ｎ個の画像要素Ｃと前記画像要素Ｄとが前記第１方向に並
び、前記画像要素Ｂの前記第１方向の長さが前記画像要素Ａの前記第１方向の長さよりも長い
　前記制御手段は、前記第１検査用画像の印刷において、
　前記画像要素Ｂに対して前記第１方向の前記一方側に隣接する画素に対応する前記第２ノズルからインクを吐出させず、
　前記画像要素Ｄに対して前記第１方向の前記他方側に隣接する画素に対応する前記第１ノズルからインクを吐出させない、
　ように前記第１ヘッドユニット及び前記第２ヘッドユニットを制御することを特徴とするインクジェットプリンタ。
　【請求項１３】
　所定の配列方向に所定のノズル間隔で配列された複数の第１ノズルを有する第１ヘッドユニットと、
　前記配列方向に前記ノズル間隔で配列された複数の第２ノズルを有する第２ヘッドユニットと、を備え、
　前記第１ヘッドユニットと前記第２ヘッドユニットとが、２組以上の前記第１ノズルと前記第２ノズルとが前記配列方向と直交する方向に重なるように配置されたインクジェットプリンタにおいて、前記第１ヘッドユニットと前記第２ヘッドユニットとの前記配列方向のずれを検査するずれ検査方法であって、
　前記インクジェットプリンタに、前記第１ヘッドユニットと前記第２ヘッドユニットとが、前記配列方向のどちら側にずれているかを示す第１検査用パターンを印刷する第１検査用パターン印刷工程と、
　印刷された前記第１検査用画像に基づいて、前記第１ヘッドユニットと前記第２ヘッドユニットとが、前記配列方向のどちら側にずれているかを判定する判定工程とを備え、
　前記第１検査用パターン印刷工程において、
　前記第１ノズルから吐出されたインクによって形成される２以上の第１パターンと、前記第２ノズルから吐出されたインクによって形成される２以上の第２パターンとが、前記配列方向に交互に並び、且つ、前記配列方向の一方側の端に前記第１パターンが配置され、他方側の端に前記第２パターンが配置された交互領域と、
　前記交互領域の前記配列方向の前記一方側に隣接する第１隣接領域と、
　前記交互領域の前記配列方向の前記他方側に隣接する第２隣接領域と、を有し、
　前記第１隣接領域は、前記第１ノズル及び前記第２ノズルからインクが吐出されない領域、あるいは、少なくとも前記第１ノズルから吐出されたインクによって形成される第３パターンが配置された領域であり、
　前記第２隣接領域は、前記第１ノズル及び前記第２ノズルからインクが吐出されない領域、あるいは、少なくとも前記第２ノズルから吐出されたインクによって形成される第４パターンが配置された領域である、前記第１検査用画像を印刷させ、
　前記判定工程において、印刷された前記第１検査用画像の、前記第１パターンと前記第２パターンとが前記配列方向にずれて前記被記録媒体が露出することによって形成された筋の数によって、前記第１ヘッドユニットと前記第２ヘッドユニットとが、前記配列方向のどちら側にずれているかを判定することを特徴とするずれ検査方法。
　【請求項１４】
　前記インクジェットプリンタは、前記第１ヘッドユニットと前記第２ヘッドユニットとが、３組以上の前記第１ノズルと前記第２ノズルとが前記配列方向と直交する方向に重なるように配置されたものであって、
　前記インクジェットプリンタに、前記第１ヘッドユニットと前記第２ヘッドユニットとの前記配列方向へのずれ量を示す第２検査用パターンを印刷させる第２検査用パターン印刷工程と、
　印刷された前記第２検査用画像に基づいて、前記第１ヘッドユニットと前記第２ヘッドユニットとの前記配列方向へのずれ量を検出するずれ量検出工程と、をさらに備え、
　前記第２検査用パターン印刷工程において、
　前記第１ノズルから吐出されたインクによって形成された２つの第５パターンと、前記第２ノズルから吐出されたインクによって形成された２つの第６パターンと、が重なる２つの重なり領域と、
　２つの前記重なり部分の間に位置し、前記第１ノズル及び前記第２ノズルからインクが吐出されない非吐出領域と、を有する第２検査用画像を印刷させ、
　前記ずれ量検出工程において、印刷された前記第２検査用画像における、前記非吐出部分の前記配列方向の長さから、前記第１ヘッドユニットと前記第２ヘッドユニットとの前記配列方向へのずれ量を検出することを特徴とする請求項１３に記載のずれ検査方法。